(57)【要約】  この出願は参照信号送信方法を提供する。当該方法は、リソースセットを決定するステップであり、リソースセットは、復調参照信号及びダウンリンク情報を搬送するために使用され、ダウンリンク情報はダウンリンク制御情報又はダウンリンクデータであり、復調参照信号は、ダウンリンク情報を復調するために使用され、リソースセットは、第1の時間周波数リソースグループ及び第2の時間周波数リソースグループを含み、第1の時間周波数リソースグループは、予約された時間周波数リソースであり、第2の時間周波数リソースグループは、復調参照信号を搬送するために使用される、ステップと、第1の時間周波数リソースグループ及び第2の時間周波数リソースグループが重複するとき、第2の時間周波数リソースグループの位置及び予め設定されたオフセットに基づいて、第3の時間周波数リソースグループを決定するステップと、第3の時間周波数リソースグループを使用することにより、復調参照信号を送信するステップとを含む。したがって、復調参照信号が確実に送信でき、それにより、通信信頼性を改善する。
2020523894.tif 000002
【特許請求の範囲】
【請求項１】
参照信号送信方法であって、
リソースセットを決定するステップであり、前記リソースセットは、復調参照信号及びダウンリンク情報を搬送するために使用され、前記ダウンリンク情報はダウンリンク制御情報又はダウンリンクデータであり、前記復調参照信号は、前記ダウンリンク情報を復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用される、ステップと、
前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定するステップと、
前記第3の時間周波数リソースグループを使用することにより、前記復調参照信号を送信するステップと
を含む方法。
【請求項２】
前記第2の時間周波数リソースグループの位置及び予め設定されたオフセットに基づいて、第3の時間周波数リソースグループを決定する前に、当該方法は、
指示情報を前記端末デバイスに送信するステップであり、前記指示情報は、前記第1の時間周波数リソースグループが予約された時間周波数リソースであることを示す、ステップを更に含む、請求項１に記載の方法。
【請求項３】
前記オフセットは、通信プロトコルにおいて予め定義されるか、或いは
前記オフセットは、通信プロトコルにおいて予め定義され、ネットワークデバイスにより決定されて前記端末デバイスに通知される、請求項１又は２に記載の方法。
【請求項４】
前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定するステップは、
前記第1の時間周波数リソースグループが前記第2の時間周波数リソースグループのものと同じ少なくとも1つのリソースエレメントREを含むとき、前記第2の時間周波数リソースグループの前記位置及び前記予め設定されたオフセットに基づいて、前記第3の時間周波数リソースグループを決定するステップを含む、請求項１乃至３のうちいずれか１項に記載の方法。
【請求項５】
前記オフセットは、N個の時間単位を含み、Nは正の整数であり、Nは前記通信プロトコルにおいて指定されるか、或いは、Nは前記ネットワークデバイスにより決定されて前記端末デバイスに通知される、請求項１乃至４のうちいずれか１項に記載の方法。
【請求項６】
前記第2の時間周波数リソースグループの位置及び予め設定されたオフセットに基づいて、第3の時間周波数リソースグループを決定するステップは、
前記第3の時間周波数リソースグループを決定するステップであり、前記第3の時間周波数リソースグループ内の各REは、前記第2の時間周波数リソースグループ内のREを前記予め設定されたオフセットでオフセットすることにより取得される、ステップを含む、請求項１乃至５のうちいずれか１項に記載の方法。
【請求項７】
参照信号受信方法であって、
リソースセットを決定するステップであり、前記リソースセットは、復調参照信号及びダウンリンク情報を搬送するために使用され、前記ダウンリンク情報はダウンリンク制御情報又はダウンリンクデータであり、前記復調参照信号は、前記ダウンリンク情報を復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用される、ステップと、
前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定するステップと、
前記第3の時間周波数リソースグループを使用することにより、前記復調参照信号を受信するステップと
を含む方法。
【請求項８】
前記第2の時間周波数リソースグループの位置及び予め設定されたオフセットに基づいて、第3の時間周波数リソースグループを決定する前に、当該方法は、
ネットワークデバイスにより送信された指示情報を受信するステップであり、前記指示情報は、前記第1の時間周波数リソースグループが予約された時間周波数リソースであることを示す、ステップを更に含む、請求項７に記載の方法。
【請求項９】
前記オフセットは、通信プロトコルにおいて予め定義されるか、或いは
前記オフセットは、通信プロトコルにおいて予め定義され、前記ネットワークデバイスにより決定されて端末デバイスに通知される、請求項７又は８に記載の方法。
【請求項１０】
前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定するステップは、
前記第1の時間周波数リソースグループが前記第2の時間周波数リソースグループのものと同じ少なくとも1つのリソースエレメントREを含むとき、前記第2の時間周波数リソースグループの前記位置及び前記予め設定されたオフセットに基づいて、前記第3の時間周波数リソースグループを決定するステップを含む、請求項７乃至９のうちいずれか１項に記載の方法。
【請求項１１】
前記オフセットは、N個の時間単位を含み、Nは正の整数であり、Nは前記通信プロトコルにおいて指定されるか、或いは、Nは前記ネットワークデバイスにより決定されて前記端末デバイスに通知される、請求項７乃至１０のうちいずれか１項に記載の方法。
【請求項１２】
前記第2の時間周波数リソースグループの位置及び予め設定されたオフセットに基づいて、第3の時間周波数リソースグループを決定するステップは、
前記第3の時間周波数リソースグループを決定するステップであり、前記第3の時間周波数リソースグループ内の各REは、前記第2の時間周波数リソースグループ内のREを前記予め設定されたオフセットでオフセットすることにより取得される、ステップを含む、請求項７乃至１１のうちいずれか１項に記載の方法。
【請求項１３】
参照信号送信装置であって、
リソースセットを決定し、前記リソースセットは、復調参照信号及びダウンリンク情報を搬送するために使用され、前記ダウンリンク情報はダウンリンク制御情報又はダウンリンクデータであり、前記復調参照信号は、前記ダウンリンク情報を復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用され、前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定する、ように構成された処理ユニットと、
前記第3の時間周波数リソースグループを使用することにより、前記復調参照信号を送信するように構成された通信ユニットと
を含む装置。
【請求項１４】
前記通信ユニットは、指示情報を前記端末デバイスに送信するように更に構成され、前記指示情報は、前記第1の時間周波数リソースグループが予約された時間周波数リソースであることを示す、請求項１３に記載の装置。
【請求項１５】
前記オフセットは、通信プロトコルにおいて予め定義されるか、或いは
前記オフセットは、通信プロトコルにおいて予め定義され、ネットワークデバイスにより決定されて前記端末デバイスに通知される、請求項１３又は１４に記載の装置。
【請求項１６】
前記処理ユニットは、前記第1の時間周波数リソースグループが前記第2の時間周波数リソースグループのものと同じ少なくとも1つのリソースエレメントREを含むとき、前記第2の時間周波数リソースグループの前記位置及び前記予め設定されたオフセットに基づいて、前記第3の時間周波数リソースグループを決定するように具体的に構成される、請求項１３乃至１５のうちいずれか１項に記載の装置。
【請求項１７】
前記オフセットは、N個の時間単位を含み、Nは正の整数であり、Nは前記通信プロトコルにおいて指定されるか、或いは、Nは前記ネットワークデバイスにより決定されて前記端末デバイスに通知される、請求項１３乃至１６のうちいずれか１項に記載の装置。
【請求項１８】
前記処理ユニットは、前記第3の時間周波数リソースグループを決定するように具体的に構成され、前記第3の時間周波数リソースグループ内の各REは、前記第2の時間周波数リソースグループ内のREを前記予め設定されたオフセットでオフセットすることにより取得される、請求項１３乃至１７のうちいずれか１項に記載の装置。
【請求項１９】
参照信号受信装置であって、
リソースセットを決定し、前記リソースセットは、復調参照信号及びダウンリンク情報を搬送するために使用され、前記ダウンリンク情報はダウンリンク制御情報又はダウンリンクデータであり、前記復調参照信号は、前記ダウンリンク情報を復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用され、前記第1の時間周波数リソースグループ及び前記第2の時間周波数リソースグループが重複するとき、前記第2の時間周波数リソースグループの位置及び予め設定されたオフセットに基づいて、第3の時間周波数リソースグループを決定する、ように構成された処理ユニットと、
前記第3の時間周波数リソースグループを使用することにより、前記復調参照信号を受信するように構成された通信ユニットと
を含む装置。
【請求項２０】
前記通信ユニットは、ネットワークデバイスにより送信された指示情報を受信するように更に構成され、前記指示情報は、前記第1の時間周波数リソースグループが予約された時間周波数リソースであることを示す、請求項１９に記載の装置。
【請求項２１】
前記オフセットは、通信プロトコルにおいて予め定義されるか、或いは
前記オフセットは、通信プロトコルにおいて予め定義され、前記ネットワークデバイスにより決定されて端末デバイスに通知される、請求項１９又は２０に記載の装置。
【請求項２２】
前記処理ユニットは、前記第1の時間周波数リソースグループが前記第2の時間周波数リソースグループのものと同じ少なくとも1つのリソースエレメントREを含むとき、前記第2の時間周波数リソースグループの前記位置及び前記予め設定されたオフセットに基づいて、前記第3の時間周波数リソースグループを決定するように具体的に構成される、請求項１９乃至２１のうちいずれか１項に記載の装置。
【請求項２３】
前記オフセットは、N個の時間単位を含み、Nは正の整数であり、Nは前記通信プロトコルにおいて指定されるか、或いは、Nは前記ネットワークデバイスにより決定されて前記端末デバイスに通知される、請求項１９乃至２２のうちいずれか１項に記載の装置。
【請求項２４】
前記処理ユニットは、前記第3の時間周波数リソースグループを決定するように具体的に構成され、前記第3の時間周波数リソースグループ内の各REは、前記第2の時間周波数リソースグループ内のREを前記予め設定されたオフセットでオフセットすることにより取得される、請求項１９乃至２３のうちいずれか１項に記載の装置。
【請求項２５】
通信装置であって、
メモリに記憶されたコンピュータプログラムを実行し、当該通信装置が請求項１乃至１２のうちいずれか１項に記載の方法を実行することを可能にするように構成されたプロセッサを含む通信装置。
【請求項２６】
コンピュータ読取可能記憶媒体であって、
当該コンピュータ読取可能記憶媒体はコンピュータプログラムを記憶し、前記コンピュータプログラムがコンピュータで実行されたとき、前記コンピュータが請求項１乃至１２のうちいずれか１項に記載の方法を実行することが可能になる、コンピュータ読取可能記憶媒体。
【請求項２７】
チップシステムであって、
メモリからコンピュータプログラムを呼び出し、前記コンピュータプログラムを実行し、前記チップシステムが設置された通信デバイスが請求項１乃至１２のうちいずれか１項に記載の方法を実行することを可能にするように構成されたプロセッサを含むチップシステム。
【発明の詳細な説明】
【技術分野】
【０００１】
［関連出願への相互参照］
この出願は、2017年6月16日に中国特許庁に出願された「REFERENCE  SIGNAL  SENDING  METHOD  AND  APPARATUS,  AND  REFERENCE  SIGNAL  RECEIVING  METHOD  AND  APPARATUS」という名称の中国特許出願第201710459603.1号、及び2017年9月29日に中国特許庁に出願された「REFERENCE  SIGNAL  SENDING  METHOD,  REFERENCE  SIGNAL  RECEIVING  METHOD,  AND  COMMUNICATIONS  APPARATUS」という名称の中国特許出願第201710910063.4号に対する優先権を主張し、これらの全内容を参照により援用する。
【０００２】
［技術分野］
この出願は、通信分野に関し、より具体的には、参照信号送信方法及び装置並びに参照信号受信方法及び装置に関する。
【背景技術】
【０００３】
現在、参照信号が広く適用されている。従来技術における参照信号を使用するプロセスにおいて、送信端デバイスは、データを送信しつつ復調参照信号を送信し、受信端デバイスは、まず、復調参照信号に基づいてチャネル推定を実行し、さらに、チャネル推定の結果に基づいてデータを復調する。
【０００４】
さらに、従来技術では、参照信号は、比較的大きいデータボリュームのサービス、例えば、進化型モバイルブロードバンド(Evolded  Mobile  Broadband,  eMBB)サービスのために主に設計され、データ復調についてのこのようなサービスの信頼性要件は比較的低い(例えば、90%)。
【０００５】
通信技術の発達によって、比較的高い送信信頼性要件(例えば、99.999%)を有するサービス、例えば、超高信頼性及び低遅延通信(ultra  reliability  low  latency  communication,  URLLC)サービスが出現している。既存の参照信号設計は、サービスの高信頼性送信を満たすことができない。
【０００６】
したがって、異なる信頼性要件を有するサービスの参照信号要件を満たすことができる技術を提供することが望まれる。
【発明の概要】
【０００７】
この出願は、異なる信頼性要件を有するサービスの参照信号についての構成要件を満たすための、参照信号送信方法及び装置並びに参照信号受信方法及び装置を提供する。
【０００８】
第1の態様によれば、参照信号送信方法が提供される。当該方法は、ネットワークデバイスにより、構成情報の第1の指示情報を端末デバイスに送信するステップであり、第1の指示情報は、第1の復調参照信号に対応する少なくとも2つのタイプの構成情報のうち第1の構成情報を示し、少なくとも2つのタイプの構成情報のそれぞれは、以下のパラメータ、すなわち、復調参照信号により使用される系列、1つの時間周波数リソースグループ内で復調参照信号を搬送する時間周波数リソースの密度、復調参照信号に関連するアンテナポート、及び復調参照信号を搬送する時間周波数リソースの位置のうち少なくとも1つを含み、いずれか2つのタイプの構成情報は、少なくとも1つの異なるパラメータを含む、ステップと、ネットワークデバイスにより、第1の時間周波数リソースグループを使用することにより、第1の構成情報に基づいて、第1のダウンリンク情報及び第1の復調参照信号を端末デバイスに送信するステップであり、第1のダウンリンク情報は、第1のダウンリンクデータ又は第1のダウンリンク制御情報を含み、第1の復調参照信号は、第1のダウンリンク情報を復調するために使用される、ステップとを含む。
【０００９】
第2の態様によれば、参照信号受信方法が提供される。当該方法は、端末デバイスにより、ネットワークデバイスから第1の指示情報を受信するステップであり、第1の指示情報は、第1の復調参照信号に対応する少なくとも2つのタイプの構成情報のうち第1の構成情報を示し、少なくとも2つのタイプの構成情報のそれぞれは、以下のパラメータ、すなわち、復調参照信号により使用される系列、1つの時間周波数リソースグループ内で復調参照信号を搬送する時間周波数リソースの密度、復調参照信号に関連するアンテナポート、及び復調参照信号を搬送する時間周波数リソースの位置のうち少なくとも1つを含み、いずれか2つのタイプの構成情報は、少なくとも1つの異なるパラメータを含む、ステップと、端末デバイスにより、第1の時間周波数リソースグループを使用することにより、第1の構成情報に基づいて、ネットワークデバイスから第1のダウンリンク情報及び第1の復調参照信号を受信するステップであり、第1のダウンリンク情報は、第1のダウンリンクデータ又は第1のダウンリンク制御情報を含む、ステップと、端末デバイスにより、第1の復調参照信号に基づいて、第1のダウンリンク情報を復調するステップとを含む。
【００１０】
この出願のこの実施形態では、第1の指示情報は、第1の復調参照信号に対応する少なくとも2つのタイプの構成情報のうち第1の構成情報を示し、いずれか2つのタイプの構成情報は、少なくとも1つの異なるパラメータを含み、それにより、データを復調するために使用される参照信号は、複数のタイプの構成情報に対応するか、或いは、制御情報を復調するために使用される参照信号は、複数のタイプの構成情報に対応する。このように、実際のサービス送信において、ネットワークデバイスは、異なる信頼性要件を有するサービスの復調参照信号についての構成要件を満たすように、参照信号を送信するために、現在のサービスの信頼性要件に合致する複数のタイプの構成情報のうち1つを選択できる。
【００１１】
任意選択で、第1のダウンリンク情報は、第1のダウンリンク制御情報を含み、第1の構成情報は、第1のダウンリンク制御情報の情報フォーマット及び第1のマッピング関係に基づいて決定される。第1のマッピング関係は、少なくとも2つのタイプの情報フォーマットと少なくとも2つのタイプの構成情報との間のマッピング関係である。
【００１２】
任意選択で、第1のダウンリンク情報は、第1のダウンリンク制御情報を含み、ネットワークデバイスにより、第1の復調参照信号に対応する少なくとも2つのタイプの構成情報のうち第1の構成情報を決定することは、ネットワークデバイスにより、第1のダウンリンク制御情報の情報フォーマット及び第1のマッピング関係に基づいて、少なくとも2つのタイプの構成情報のうち第1の構成情報を決定することを含み、第1のマッピング関係は、少なくとも2つのタイプの情報フォーマットと少なくとも2つのタイプの構成情報との間のマッピング関係である。
【００１３】
この出願のこの実施形態における参照信号送信方法によれば、複数の情報フォーマットと複数のタイプの構成情報との間のマッピング関係は事前に取得され、それにより、ネットワークデバイスは、現在送信される必要がある制御情報の情報フォーマットに基づいて、現在送信されているサービスに合致する構成情報を選択でき、それにより、構成情報を決定する効率性及び実現性を改善する。
【００１４】
任意選択で、第1の構成情報は、第1のダウンリンク情報に対応するサービスのサービスタイプ及び第2のマッピング関係に基づいて決定され、第2のマッピング関係は、少なくとも2つのサービスタイプと少なくとも2つのタイプの構成情報との間のマッピング関係である。
【００１５】
任意選択で、ネットワークデバイスにより、第1の復調参照信号に対応する少なくとも2つのタイプの構成情報のうち第1の構成情報を決定することは、ネットワークデバイスにより、第1のダウンリンク情報に対応するサービスのサービスタイプ及び第2のマッピング関係に基づいて、少なくとも2つのタイプの構成情報のうち第1の構成情報を決定することを含み、第2のマッピング関係は、少なくとも2つのサービスタイプと少なくとも2つのタイプの構成情報との間のマッピング関係である。
【００１６】
任意選択で、第1のダウンリンク情報は第1のダウンリンク制御情報を含み、第1の構成情報は、第1のダウンリンク制御情報を搬送するダウンリンク制御チャネルの制御チャネルフォーマット(又は集約レベル)及び第3のマッピング関係に基づいて決定される。第3のマッピング関係は、少なくとも2つのタイプの制御チャネルフォーマット(又は集約レベル)と少なくとも2つのタイプの構成情報との間のマッピング関係である。
【００１７】
任意選択で、第1のダウンリンク情報は、第1のダウンリンク制御情報を含み、ネットワークデバイスにより、第1の復調参照信号に対応する少なくとも2つのタイプの構成情報のうち第1の構成情報を決定することは、ネットワークデバイスにより、第1のダウンリンク制御情報を搬送するダウンリンク制御チャネルの制御チャネルフォーマット(又は集約レベル)及び第3のマッピング関係に基づいて、少なくとも2つのタイプの構成情報のうち第1の構成情報を決定することを含み、第3のマッピング関係は、少なくとも2つのタイプの制御チャネルフォーマット(又は集約レベル)と少なくとも2つのタイプの構成情報との間のマッピング関係である。
【００１８】
任意選択で、第1の時間周波数リソースグループは第1のリソースセットに属し、第1のダウンリンク情報は、第1のダウンリンク制御情報を含み、第1の復調参照信号は、第2のダウンリンクデータを復調するために更に使用され、第2のダウンリンクデータは、第2のリソースセットを使用することによりネットワークデバイスにより送信されるデータであり、第2のダウンリンクデータは、第2のリソースセットを使用することによりネットワークデバイスから端末デバイスにより受信されるデータである。第2のリソースセット及び第1のリソースセットは時間領域において連続しているか、或いは、時間領域における第2のリソースセットと第1のリソースセットとの間の間隔は第1の閾値以下であり、第2のリソースセット及び第1のリソースセットは周波数領域において連続しているか、或いは、周波数領域における第2のリソースセットと第1のリソースセットとの間の間隔は第2の閾値以下である。対応して、当該方法は、端末デバイスにより、第1の復調参照信号に基づいて、第2のダウンリンクデータを復調するステップを更に含む。
【００１９】
したがって、制御情報とデータとの双方が同じ参照信号に基づいて復調でき、参照信号のリソース占有が低減でき、通信効率が改善できる。
【００２０】
任意選択で、第1の復調参照信号は、プリコーディング処理が第1のプリコーディング行列に基づいて実行された後に取得され、当該方法は、ネットワークデバイスにより、第1のプリコーディング行列に基づいて第2のダウンリンクデータに対してプリコーディング処理を実行するステップを更に含む。
【００２１】
同じ参照信号を共有することにより復調されるデータ及び制御情報に対してプリコーディング処理を実行するために、同じプリコーディング行列が使用される。したがって、プリコーディング処理の複雑さ及びチャネル設計の複雑さが低減でき、それにより、ネットワークデバイスの処理負荷が低減でき、通信効率が改善できる。
【００２２】
任意選択で、第2のダウンリンクデータは、具体的には、第2のリソースセット内の第3の時間周波数リソースグループを使用することによりネットワークデバイスにより送信され、第3の時間周波数リソースグループ及び第1の時間周波数リソースグループは時間領域において連続しているか、或いは、時間領域における第3の時間周波数リソースグループと第1の時間周波数リソースグループとの間の間隔は第3の閾値以下であり、第3の時間周波数リソースグループ及び第1の時間周波数リソースグループは周波数領域において連続しているか、或いは、周波数領域における第3の時間周波数リソースグループと第1の時間周波数リソースグループとの間の間隔は第4の閾値以下である。
【００２３】
任意選択で、第1の時間周波数リソースグループは第1のリソースセットに属し、第1のリソースセットは少なくとも2つの時間周波数リソースグループを含み、第1のダウンリンク情報は第1のダウンリンク制御情報を含み、当該方法は、
ネットワークデバイスにより、第1のリソースセット内の第2の時間周波数リソースグループを使用することにより、第2の復調参照信号及び第3のダウンリンクデータを端末デバイスに送信するステップであり、第2の復調参照信号は、第3のダウンリンクデータを復調するために使用される、ステップを更に含む。
【００２４】
対応して、当該方法は、端末デバイスにより、第1のリソースセット内の第2の時間周波数リソースグループを使用することにより、ネットワークデバイスから第2の復調参照信号及び第3のダウンリンクデータを受信するステップと、端末デバイスにより、第2の復調参照信号に基づいて、第3のダウンリンクデータを復調するステップとを更に含む。
【００２５】
制御情報及びダウンリンクデータを送信するために同じリソースセットが使用され、それにより、リソース利用効率が改善でき、それにより、通信効率を改善する。
【００２６】
任意選択で、端末デバイスにより、第1のリソースセット内の第2の時間周波数リソースグループを使用することにより、ネットワークデバイスから第2の復調参照信号及び第3のダウンリンクデータを受信することは、端末デバイスにより、第1の構成情報に基づいて、第1のリソースセット内の第2の時間周波数リソースグループを使用することにより、ネットワークデバイスから第2の復調参照信号を受信すること、又は、端末デバイスにより、第2の復調参照信号に対応する少なくとも2つのタイプの構成情報のうち第2の構成情報に基づいて、第1のリソースセット内の第2の時間周波数リソースグループを使用することにより、ネットワークデバイスから第2の復調参照信号を受信することを含む。
【００２７】
任意選択で、第2の時間周波数リソースグループ内の第2の復調参照信号の構成情報は、第1の構成情報である。
【００２８】
任意選択で、第2の時間周波数リソースグループ内の第2の復調参照信号の構成情報は、第2の復調参照信号に対応する少なくとも2つのタイプの構成情報のうち第2の構成情報である。
【００２９】
任意選択で、ネットワークデバイスは、第1の指示情報を端末デバイスに送信し、対応して、端末デバイスは、ネットワーク側デバイスから第1の指示情報を受信する。第1の指示情報は、第2の時間周波数リソースグループ内の第2の復調参照信号により使用される構成情報を示す。
【００３０】
任意選択で、第1の復調参照信号に対応する少なくとも2つのタイプの構成情報は、第5の構成情報を更に含み、第1の密度は第2の密度未満であり、第1の位置は、第2の位置のうちいくつかである。第1の密度は、第1の構成情報に含まれる、1つの時間周波数リソースグループ内で参照信号を搬送する時間周波数リソースの密度である。第2の密度は、第5の構成情報に含まれる、1つの時間周波数リソースグループ内で参照信号を搬送する時間周波数リソースの密度である。第1の位置は、第1の構成情報に含まれる、参照信号を搬送する時間周波数リソースの位置である。第2の位置は、第5の構成情報に含まれる、参照信号を搬送する時間周波数リソースの位置である。
【００３１】
任意選択で、第1の位置に対応する時間周波数リソースは、第2の位置に対応する時間周波数リソースのサブセットである。
【００３２】
任意選択で、第1の位置に対応する時間周波数リソースと第2の位置に対応する時間周波数リソースとの交わり集合に含まれる要素の数は、0ではない。
【００３３】
任意選択で、第1の復調参照信号に対応する少なくとも2つのタイプの構成情報は、少なくとも2つのタイプの密度と1対1の対応関係にあり、第1の復調参照信号に対応する少なくとも2つのタイプの構成情報は、少なくとも2つのタイプの位置と1対1の対応関係にある。第1の復調参照信号に対応する少なくとも2つのタイプの構成情報のうち第3の構成情報に対応する密度は、第1の復調参照信号に対応する少なくとも2つのタイプの構成情報のうち第4の構成情報に対応する密度未満であり、第3の構成情報に対応する位置の少なくともいくつかは、第4の構成情報に対応する位置に属する。
【００３４】
「構成情報に対応する密度」は、構成情報に含まれる(言い換えると、示される)「1つの時間周波数リソースグループ内で復調参照信号を搬送する時間周波数リソースの密度」である。
【００３５】
「構成情報に対応する位置」は、構成情報に含まれる(言い換えると、示される)「復調参照信号を搬送する時間周波数リソースの位置」である。
【００３６】
任意選択で、第1の構成情報は、第3の構成情報又は第4の構成情報である。
【００３７】
任意選択で、当該方法は、ネットワークデバイスにより、第2の指示情報を端末デバイスに送信するステップであり、第2の指示情報は、第1の復調参照信号が第2のダウンリンクデータを復調するために使用されることを示す、ステップを更に含む。
【００３８】
対応して、端末デバイスにより、第1の復調参照信号に基づいて、第2のダウンリンクデータを復調することは、端末デバイスにより、ネットワークデバイスから第2の指示情報を受信することであり、第2の指示情報は、第1の復調参照信号が第2のダウンリンクデータを復調するために使用されることを示す、ことと、端末デバイスにより、第2の指示情報に従って第1の復調参照信号を使用することにより、第2のダウンリンクデータを復調することとを含む。
【００３９】
ネットワークデバイスは、端末デバイスに対して、同じ復調参照信号を使用することにより、ダウンリンク制御情報及びダウンリンクデータを復調するように命令し、それにより、端末デバイスの処理負荷を低減し、通信信頼性を改善する。
【００４０】
任意選択で、第1の時間周波数リソースグループは第1のリソースセットに属し、第1のダウンリンク情報は第1のダウンリンク制御情報を含み、第1のリソースセットは第4の時間周波数リソースグループを更に含み、第4の時間周波数リソースグループは、第3の復調参照信号を搬送するために使用され、第3の復調参照信号は、第4のダウンリンクデータを復調するために使用され、第4のダウンリンクデータは第3のリソースセット内で搬送される。
【００４１】
異なるリソースセット内で搬送される制御情報及びダウンリンクデータの復調参照信号は、復調参照信号を一緒に送信するように、同じリソースセット内で送信され、それにより、ネットワークデバイスの処理効率及び端末デバイスの処理効率が改善される。
【００４２】
任意選択で、当該方法は、ネットワークデバイスにより、第4の時間周波数リソースグループ及び第1の時間周波数リソース内の第1の時間周波数リソースが重複するとき、第4の時間周波数リソースグループの位置及び予め設定されたオフセットに基づいて、第5の時間周波数リソースグループを決定するステップと、ネットワークデバイスにより、第5の時間周波数リソースグループを使用することにより、第3の復調参照信号を送信するステップであり、第1の時間周波数リソースは、第1の時間周波数リソースグループ内にあり且つ第1の復調参照信号を搬送するために使用される時間周波数リソースである、ステップを更に含む。
【００４３】
対応して、当該方法は、端末デバイスにより、第4の時間周波数リソースグループ及び第1の時間周波数リソースグループ内の第1の時間周波数リソースが重複するとき、第4の時間周波数リソースグループの位置及び予め設定されたオフセットに基づいて、第5の時間周波数リソースグループを決定するステップと、端末デバイスにより、第5の時間周波数リソースグループを使用することにより、ネットワークデバイスから第3の復調参照信号を受信するステップであり、第1の時間周波数リソースは、第1の時間周波数リソースグループ内にあり且つ第1の復調参照信号を搬送するために使用される時間周波数リソースである、ステップを更に含む。
【００４４】
任意選択で、第5の時間周波数リソースグループは、少なくとも1つの第2の時間周波数リソース及び少なくとも1つの第3の時間周波数リソースを含み、第2の時間周波数リソースは、第4の時間周波数リソースグループ内にあり且つ第1の時間周波数リソースと重複しない時間周波数リソースであり、第3の時間周波数リソースは、第4の時間周波数リソースグループ内にあり且つ第1の時間周波数リソースと重複する時間周波数リソースが予め設定されたオフセットだけオフセットされた後に取得される時間周波数リソースであるか、或いは、第5の時間周波数リソースグループ内の時間周波数リソースは、第4の時間周波数リソースグループ内の各時間周波数リソースが予め設定されたオフセットだけオフセットされた後に取得される時間周波数リソースである。
【００４５】
制御情報を復調するために使用される復調参照信号を搬送するリソースが、ダウンリンクデータを復調するために使用される復調参照信号を搬送するリソースと重複するとき、ダウンリンクデータの復調参照信号を搬送するために使用されるリソースは、指定のオフセットに基づいてオフセットされ、それにより、制御情報とダウンリンクデータとの双方の復調参照信号が確実に送信でき、それにより、通信信頼性を改善する。
【００４６】
任意選択で、オフセットは、時間領域におけるオフセットを含む。
【００４７】
任意選択で、オフセットに基づいてオフセットすることは、時間領域において1つ以上のシンボルだけ後方にオフセットすることを含む。
【００４８】
任意選択で、オフセットは、周波数領域におけるオフセットを含む。
【００４９】
任意選択で、オフセットに基づいてオフセットすることは、周波数領域において高周波数方向又は低周波数方向に1つ以上のREだけオフセットすることを含む。
【００５０】
任意選択で、当該方法は、ネットワークデバイスにより、第3の指示情報を端末デバイスに送信するステップであり、第3の指示情報は、第4のダウンリンクデータが、第3の復調参照信号を使用することにより復調されることを示す、ステップを更に含む。
【００５１】
対応して、当該方法は、端末デバイスにより、ネットワークデバイスから第3の指示情報を受信するステップであり、第3の指示情報は、第4のダウンリンクデータが第3の復調参照信号を使用することにより復調されることを示す、ステップと、端末デバイスにより、第3の復調参照信号を使用することにより、第3の指示情報に従って第4のダウンリンクデータを復調するステップとを更に含む。
【００５２】
任意選択で、「予め設定されたオフセット」は、オフセットが予め設定されたルールに従って決定され得ることを意味してもよい。
【００５３】
任意選択で、「予め設定されたオフセット」は、オフセットがネットワークデバイスにより端末デバイスに対して構成されて示され得ることを意味してもよい。
【００５４】
ネットワークデバイスは、高レイヤシグナリング(SIB又はRRCシグナリング等)を使用することにより、予め設定されたオフセットを半静的に示してもよい。
【００５５】
代替として、ネットワークデバイスは、物理レイヤシグナリング(ダウンリンク制御情報DCI等)を使用することにより、予め設定されたオフセットを動的に示してもよい。
【００５６】
第3の態様によれば、参照信号送信方法が提供される。当該方法は、ネットワークデバイスにより、第1のリソースセットを使用することにより、ダウンリンク制御情報及び復調参照信号を端末デバイスに送信するステップであり、復調参照信号は、ダウンリンク制御情報を復調するために使用される、ステップと、ネットワークデバイスにより、第2のリソースセットを使用することにより、ダウンリンクデータを端末デバイスに送信するステップであり、復調参照信号は、ダウンリンクデータを復調するために更に使用される、ステップとを含む。
【００５７】
第4の態様によれば、参照信号受信方法が提供される。当該方法は、端末デバイスにより、第1のリソースセットを使用することにより、ネットワークデバイスからダウンリンク制御情報及び復調参照信号を受信するステップと、端末デバイスにより、第2のリソースセットを使用することにより、ネットワークデバイスから第2のダウンリンクデータを受信するステップと、端末デバイスにより、第1の復調参照信号に基づいて、ダウンリンク制御情報及びダウンリンクデータを復調するステップとを含む。
【００５８】
任意選択で、第2のリソースセット及び第1のリソースセットは時間領域において連続しているか、或いは、時間領域における第2のリソースセットと第1のリソースセットとの間の間隔は第1の閾値以下であり、第2のリソースセット及び第1のリソースセットは周波数領域において連続しているか、或いは、周波数領域における第2のリソースセットと第1のリソースセットとの間の間隔は第2の閾値以下である。
【００５９】
この出願のこの実施形態における参照信号送信方法によれば、制御情報とデータとの双方が同じ参照信号に基づいて復調できる。したがって、参照信号のリソース占有が低減でき、通信効率が改善できる。
【００６０】
任意選択で、ダウンリンクデータのプリコーディング処理に使用されるプリコーディング行列は、復調参照信号(又はダウンリンク制御情報)のプリコーディング処理に使用されるプリコーディング行列と同じである。
【００６１】
同じ参照信号を共有することにより復調されるデータ及び制御情報に対してプリコーディング処理を実行するために、同じプリコーディング行列が使用される。したがって、プリコーディング処理の複雑さ及びチャネル設計の複雑さが低減でき、それにより、ネットワークデバイスの処理負荷が低減でき、通信効率が改善できる。
【００６２】
第5の態様によれば、参照信号送信方法が提供される。当該方法は、ネットワークデバイスにより、リソースセットを決定するステップであり、リソースセットは、復調参照信号及びダウンリンク情報を搬送するために使用され、ダウンリンク情報はダウンリンク制御情報又はダウンリンクデータであり、復調参照信号は、ダウンリンク情報を復調するために使用され、リソースセットは、第1の時間周波数リソースグループ及び第2の時間周波数リソースグループを含み、第1の時間周波数リソースグループは、予約された時間周波数リソースであり、第2の時間周波数リソースグループは、復調参照信号を搬送するために使用される、ステップと、ネットワークデバイスにより、第1の時間周波数リソースグループ及び第2の時間周波数リソースグループが重複するとき、第2の時間周波数リソースグループの位置及び予め設定されたオフセットに基づいて、第3の時間周波数リソースグループを決定するステップと、ネットワークデバイスにより、第3の時間周波数リソースグループを使用することにより、復調参照信号を送信するステップとを含む。
【００６３】
第6の態様によれば、参照信号受信方法が提供される。当該方法は、端末デバイスにより、リソースセットを決定するステップであり、リソースセットは、復調参照信号及びダウンリンク情報を搬送するために使用され、ダウンリンク情報はダウンリンク制御情報又はダウンリンクデータであり、復調参照信号は、ダウンリンク情報を復調するために使用され、リソースセットは、第1の時間周波数リソースグループ及び第2の時間周波数リソースグループを含み、第1の時間周波数リソースグループは、予約された時間周波数リソースであり、第2の時間周波数リソースグループは、復調参照信号を搬送するために使用される、ステップと、端末デバイスにより、第1の時間周波数リソースグループ及び第2の時間周波数リソースグループが重複するとき、第2の時間周波数リソースグループの位置及び予め設定されたオフセットに基づいて、第3の時間周波数リソースグループを決定するステップと、端末デバイスにより、第3の時間周波数リソースグループを使用することにより、復調参照信号を受信するステップとを含む。
【００６４】
ダウンリンク情報を復調するために使用される復調参照信号を搬送するリソースが予約されたリソースと重複するとき、ダウンリンク情報の復調参照信号を搬送するために使用されるリソースは、指定のオフセットに基づいてオフセットされ、それにより、復調参照信号が確実に送信でき、通信信頼性が更に改善される。
【００６５】
任意選択で、ネットワークデバイスにより、第2の時間周波数リソースグループの位置及び予め設定されたオフセットに基づいて、第3の時間周波数リソースグループを決定する前に、当該方法は、ネットワークデバイスにより、指示情報を端末デバイスに送信するステップであり、指示情報は、第1の時間周波数リソースグループが予約された時間周波数リソースであることを示す、ステップを更に含む。
【００６６】
対応して、端末デバイスにより、第1の時間周波数リソースグループ及び第2の時間周波数リソースグループが重複するとき、第2の時間周波数リソースグループの位置及び予め設定されたオフセットに基づいて、第3の時間周波数リソースグループを決定することは、端末デバイスにより、ネットワークデバイスから指示情報を受信することであり、指示情報は、第1の時間周波数リソースグループが予約された時間周波数リソースであることを示す、ことと、指示情報に基づいて、第1の時間周波数リソースグループが予約された時間周波数リソースであると端末デバイスが決定した後に、第1の時間周波数リソースグループ及び第2の時間周波数リソースグループが重複するとき、端末デバイスにより、第2の時間周波数リソースグループの位置及び予め設定されたオフセットに基づいて、第3の時間周波数リソースグループを決定することとを含む。
【００６７】
任意選択で、予約された時間周波数リソースは、参照信号を搬送しないリソースとして端末デバイスにより決定された時間周波数リソースでもよい。
【００６８】
任意選択で、予約された時間周波数リソースは、送信又は受信のためにネットワークデバイスにより使用されない時間周波数リソースでもよい。
【００６９】
任意選択で、「予め設定されたオフセット」は、オフセットが予め設定されたルールに従って決定され得ることを意味してもよい。
【００７０】
任意選択で、「予め設定されたオフセット」は、オフセットがネットワークデバイスにより端末デバイスに対して構成されて示され得ることを意味してもよい。
【００７１】
ネットワークデバイスは、高レイヤシグナリング(SIB又はRRCシグナリング等)を使用することにより、予め設定されたオフセットを半静的に示してもよい。
【００７２】
代替として、ネットワークデバイスは、物理レイヤシグナリング(ダウンリンク制御情報DCI等)を使用することにより、予め設定されたオフセットを動的に示してもよい。
【００７３】
上記の態様及び当該態様の上記の実現方式を参照して、他の実現方式では、リソースセットは、複数の制御チャネルエレメントCCEを含む。各制御チャネルエレメントは、少なくとも1つのリソースエレメントグループREG又は物理リソースブロックPRBを含む。
【００７４】
上記の態様及び当該態様の上記の実現方式を参照して、他の実現方式では、1つのリソースセットは、複数のリソースエレメントグループREGを含む。
【００７５】
上記の態様及び当該態様の上記の実現方式を参照して、他の実現方式では、1つのリソースセットは、複数の物理リソースブロックPRBを含む。
【００７６】
上記の態様及び当該態様の上記の実現方式を参照して、他の実現方式では、1つの時間周波数リソースグループは、1つ以上のリソースエレメントグループREGである。
【００７７】
上記の態様及び当該態様の上記の実現方式を参照して、他の実現方式では、第1のリソースセットは、制御リソースセットCORESETである。
【００７８】
上記の態様及び当該態様の上記の実現方式を参照して、他の実現方式では、第1のリソースセットは、少なくとも1つの物理リソースブロックPRBグループを占有する。
【００７９】
上記の態様及び当該態様の上記の実現方式を参照して、他の実現方式では、第1のリソースセット及び第2のリソースセットは、同じPRBグループに属する。
【００８０】
上記の態様及び当該態様の上記の実現方式を参照して、他の実現方式では、第1のリソースセットにより占有されるPRBグループ及び第2のリソースセットにより占有されるPRBグループは、周波数領域において連続する。例えば、第1のリソースセットにより占有されるPRBグループ及び第2のリソースセットにより占有されるPRBグループは、周波数領域において隣接又は重複する。
【００８１】
上記の態様及び当該態様の上記の実現方式を参照して、他の実現方式では、第1のリソースセットにより占有されるPRBグループと第2のリソースセットにより占有されるPRBグループとの間の周波数領域における間隔は、予め設定された周波数領域閾値以下である。
【００８２】
上記の態様及び当該態様の上記の実現方式を参照して、他の実現方式では、第1のリソースセットにより占有されるPRBグループ及び第2のリソースセットにより占有されるPRBグループは、時間領域において連続する。例えば、第1のリソースセットにより占有されるPRBグループ及び第2のリソースセットにより占有されるPRBグループは、時間領域において隣接又は重複する。
【００８３】
上記の態様及び当該態様の上記の実現方式を参照して、他の実現方式では、第1のリソースセットにより占有されるPRBグループと第2のリソースセットにより占有されるPRBグループとの間の時間領域における間隔は、予め設定された時間領域閾値以下である。
【００８４】
上記の態様及び当該態様の上記の実現方式を参照して、他の実現方式では、第1の時間周波数リソースグループ及び第3の時間周波数リソースグループは、時間領域において異なるシンボルを占有し、周波数領域において同じサブキャリアを占有し、時間領域において第1の時間周波数リソースグループにより占有されるシンボルと第3の時間周波数リソースグループにより占有されるシンボルとの間の間隔は、指定の時間閾値以下である。例えば、第1の時間周波数リソースグループにより占有されるシンボルは、時間領域において第3の時間周波数リソースグループにより占有されるシンボルに隣接する。
【００８５】
上記の態様及び当該態様の上記の実現方式を参照して、他の実現方式では、第1の時間周波数リソースグループ及び第3の時間周波数リソースグループは、時間領域において同じシンボルを占有し、周波数領域において異なるサブキャリアを占有する。例えば、周波数領域において第1の時間周波数リソースグループにより占有されるサブキャリア及び第3の時間周波数リソースグループにより占有されるサブキャリアは、隣接又は重複する。
【００８６】
上記の態様及び当該態様の上記の実現方式を参照して、他の実現方式では、第1の復調参照信号が第2のダウンリンクデータを復調するために更に使用されるとき、当該方法は、ネットワークデバイスが第2のリソースセットを使用することにより、第2のダウンリンクデータを復調するために使用される参照信号を送信するのを禁止するステップを更に含む。
【００８７】
上記の態様及び当該態様の上記の実現方式を参照して、他の実現方式では、第1の復調参照信号が第2のダウンリンクデータを復調するために更に使用され、第2のダウンリンクデータが第3の時間周波数リソースグループを使用することにより送信されるとき、当該方法は、ネットワークデバイスが第3の時間周波数リソースグループを使用することにより、第2のダウンリンクデータを復調するために使用される参照信号を送信するのを禁止するステップを更に含む。
【００８８】
第7の態様によれば、参照信号送信方法が提供される。当該方法は、ネットワークデバイスにより、リソースセット内の第1の時間周波数リソースグループを使用することにより、ダウンリンク制御情報及び第1の復調参照信号を端末デバイスに送信するステップであり、第1の復調参照信号は、ダウンリンク制御情報を復調するために使用され、第1の復調参照信号の構成情報は、少なくとも2つのタイプの構成情報のうち第1の構成情報であり、少なくとも2つのタイプの構成情報のそれぞれは、以下のパラメータ、すなわち、復調参照信号により使用される系列、1つの時間周波数リソースグループ内で復調参照信号を搬送する時間周波数リソースの密度、復調参照信号に関連するアンテナポート、及び復調参照信号を搬送する時間周波数リソースの位置のうち少なくとも1つを含み、いずれか2つのタイプの構成情報は、少なくとも1つの異なるパラメータを含む、ステップと、ネットワークデバイスにより、リソースセット内の第2の時間周波数リソースグループを使用することにより、第2の復調参照信号及びダウンリンクデータを端末デバイスに送信するステップであり、第2の復調参照信号は、ダウンリンクデータを復調するために使用される、ステップとを含む。
【００８９】
任意選択で、第2の時間周波数リソースグループ内の第2の復調参照信号により使用される構成情報は、第1の構成情報である。
【００９０】
任意選択で、第2の時間周波数リソースグループ内の第2の復調参照信号により使用される構成情報は、少なくとも2つのタイプの構成情報のうち第2の構成情報である。
【００９１】
任意選択で、ネットワークデバイスは、第1の指示情報を端末デバイスに送信し、第1の指示情報は、第2の時間周波数リソースグループ内の第2の復調参照信号により使用される構成情報を示す。
【００９２】
この出願のこの実施形態における参照信号送信方法によれば、制御情報を送信するために使用されるリソースセットに残っている(言い換えると、制御情報により占有されていない)時間周波数リソースグループが存在するとき、データは、残りの時間周波数リソースグループを使用することにより送信でき、データ及び制御情報は、異なる参照信号に基づいて復調され、それにより、データと制御情報との双方の復調が確保でき、リソース利用効率が改善できる。
【００９３】
第8の態様によれば、参照信号受信方法が提供される。当該方法は、端末デバイスにより、リソースセット内の第1の時間周波数リソースグループを使用することにより、ネットワークデバイスからダウンリンク制御情報及び第1の復調参照信号を受信するステップと、端末デバイスにより、リソースセット内の第2の時間周波数リソースグループを使用することにより、ネットワークデバイスから第2の復調参照信号及びダウンリンクデータを受信するステップであり、第1の復調参照信号の構成情報は、少なくとも2つのタイプの構成情報のうち第1の構成情報であり、少なくとも2つのタイプの構成情報のそれぞれは、以下のパラメータ、すなわち、復調参照信号により使用される系列、1つの時間周波数リソースグループ内で復調参照信号を搬送する時間周波数リソースの密度、復調参照信号に関連するアンテナポート、及び復調参照信号を搬送する時間周波数リソースの位置のうち少なくとも1つを含み、いずれか2つのタイプの構成情報は、少なくとも1つの異なるパラメータを含む、ステップと、端末デバイスにより、第1の復調参照信号に基づいてダウンリンク制御情報を復調し、第2の復調参照信号に基づいて第2のダウンリンクデータを復調するステップとを含む。
【００９４】
任意選択で、第2の時間周波数リソースグループ内の第2の復調参照信号により使用される構成情報は、第1の構成情報である。
【００９５】
任意選択で、第2の時間周波数リソースグループ内の第2の復調参照信号により使用される構成情報は、少なくとも2つのタイプの構成情報のうち第2の構成情報である。
【００９６】
任意選択で、端末デバイスは、ネットワークデバイスにより送信された第1の指示情報を受信し、第1の指示情報は、第2の時間周波数リソースグループ内の第2の復調参照信号により使用される構成情報を示す。
【００９７】
第7の態様、第8の態様並びに第7の態様及び第8の態様の上記の実現方式を参照して、他の実現方式では、第1の復調参照信号及び第2の復調参照信号は、同じプリコーディング行列を使用することにより処理した後に取得される。
【００９８】
第7の態様、第8の態様並びに第7の態様及び第8の態様の上記の実現方式を参照して、他の実現方式では、ダウンリンク制御情報及びダウンリンクデータは、同じプリコーディング行列を使用することにより処理した後に取得される。
【００９９】
第7の態様、第8の態様並びに第7の態様及び第8の態様の上記の実現方式を参照して、他の実現方式では、第1の復調参照信号及び第2の復調参照信号は、同じプリコーディング行列を使用することにより処理した後に取得される。
【０１００】
第9の態様によれば、参照信号送信装置が提供され、第1の態様、第3の態様、第5の態様及び第7の態様並びに当該態様の実現方式のうちいずれか1つにおけるステップを実行するように構成されたユニットを含む。
【０１０１】
任意選択で、当該装置は、チップ又は回路、例えば、ネットワークデバイスに配置され得るチップ又は回路を含む。
【０１０２】
任意選択で、当該装置はネットワークデバイスである。
【０１０３】
第10の態様によれば、参照信号受信装置が提供され、第2の態様、第4の態様、第6の態様及び第8の態様並びに当該態様の実現方式のうちいずれか1つにおけるステップを実行するように構成されたユニットを含む。
【０１０４】
任意選択で、当該装置は、チップ又は回路、例えば、端末デバイスに配置され得るチップ又は回路を含む。
【０１０５】
任意選択で、当該装置は端末デバイスである。
【０１０６】
第11の態様によれば、通信デバイスが提供され、メモリ及びプロセッサを含む。メモリは、コンピュータプログラムを記憶するように構成され、プロセッサは、メモリからコンピュータプログラムを呼び出し、コンピュータプログラムを実行し、通信デバイスが第1の態様から第6の態様及び当該態様の実現方式のうちいずれか1つによる方法を実行することを可能にするように構成される。
【０１０７】
第12の態様によれば、チップシステムが提供され、メモリ及びプロセッサを含む。メモリは、コンピュータプログラムを記憶するように構成され、プロセッサは、メモリからコンピュータプログラムを呼び出し、コンピュータプログラムを実行し、チップシステムが設置された通信デバイスが第1の態様から第6の態様及び当該態様の実現方式のうちいずれか1つによる方法を実行することを可能にするように構成される。
【０１０８】
第13の態様によれば、コンピュータプログラム製品が提供され、コンピュータプログラム製品はコンピュータプログラムコードを含む。コンピュータプログラムコードが、通信デバイス(ネットワークデバイス又は端末デバイス等)の通信ユニット及び処理ユニット、又はトランシーバ及びプロセッサにより実行されたとき、通信デバイスは、第1の態様から第6の態様及び当該態様の実現方式のうちいずれか1つによる方法を実行することが可能になる。
【０１０９】
第14の態様によれば、コンピュータ読取可能記憶媒体が提供され、コンピュータ読取可能記憶媒体はプログラムを記憶する。プログラムは、通信デバイス(ネットワークデバイス又は端末デバイス等)が第1の態様から第6の態様及び当該態様の実現方式のうちいずれか1つによる方法を実行することを可能にする。
【０１１０】
この出願の実施形態における参照信号送信方法及び装置並びに参照信号受信方法及び装置によれば、参照信号送信プロセスが柔軟に実現でき、異なる信頼性要件を有するサービスの参照信号要件が満たされることができる。
【図面の簡単な説明】
【０１１１】
【図１】この出願の実施形態による通信システムの例の概略図である。
【図２】この出願の実施形態による参照信号送信プロセスの例の概略相互作用図である。
【図３】この出願の実施形態による参照信号密度及び参照信号位置の概略図である。
【図４】この出願の実施形態によるリソース分布の例の概略図である。
【図５】この出願の実施形態によるリソース分布の他の例の概略図である。
【図６】この出願の実施形態によるリソース分布の更に他の例の概略図である。
【図７】この出願の実施形態によるリソース分布のもう1つの他の例の概略図である。
【図８】この出願の実施形態によるリソース分布の更にもう1つの他の例の概略図である。
【図９】この出願の実施形態による参照信号送信プロセスの他の例の概略相互作用図である。
【図１０】この出願の実施形態による参照信号送信プロセスの更に他の例の概略相互作用図である。
【図１１】この出願の実施形態による参照信号送信プロセスのもう1つの他の例の概略相互作用図である。
【図１２】この出願の実施形態による参照信号送信装置の例の概略ブロック図である。
【図１３】この出願の実施形態による参照信号送信装置の他の例の概略ブロック図である。
【発明を実施するための形態】
【０１１２】
以下に、添付の図面を参照して、この出願の技術的解決策について説明する。
【０１１３】
この出願の実施形態の技術的解決策は、グローバル・システム・フォー・モバイル・コミュニケーションズ(global  system  for  mobile  communications,  GSM)システム、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、ロングタームエボリューション(long  term  evolution,  LTE)システム、LTE周波数分割複信(frequency  division  duplex,  FDD)システム、LTE時分割複信(time  division  duplex,  TDD)、ユニバーサル移動通信システム(universal  mobile  telecommunication  system,  UMTS)、ワールドワイド・インターオペラビリティ・フォー・マイクロウェーブ・アクセス(worldwide  interoperability  for  microwave  access,  WiMAX)通信システム、将来の第5世代(5th  generation,  5G)システム又は新無線(new  radio,  NR)システムのような、様々な通信システムに適用されてもよい。
【０１１４】
通常では、従来の通信システムによりサポートされる接続の数は限られており、また、実現するのが容易である。しかし、通信技術の発達によって、移動通信システムは、従来の通信をサポートするだけでなく、例えば、デバイス対デバイス(Device  to  Device,  D2D)通信、マシン対マシン(Machine  to  Machine,  M2M)通信、マシンタイプ通信(Machine  Type  Communication,  MTC)通信及び車両対車両(Vehicle  to  Vehicle,  V2V)通信もサポートする。
【０１１５】
この出願の実施形態では、実施形態は、ネットワークデバイス及び端末デバイスを参照して記載される。
【０１１６】
端末デバイスは、ユーザ機器(User  Equipment,  UE)、アクセス端末、加入者ユニット、加入者局、移動局、移動コンソール、遠隔局、遠隔端末、モバイルデバイス、ユーザ端末、端末、無線通信デバイス、ユーザエージェント又はユーザ装置と呼ばれてもよい。端末デバイスは、無線LAN内のステーション(STAION,  ST)でもよく、携帯電話、コードレス電話、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)デバイス、無線通信機能を有するハンドヘルドデバイス、計算デバイス、無線モデムに接続された他の処理デバイス、車載デバイス、ウェアラブルデバイス、又は次世代通信システムにおける端末デバイス、例えば、5Gネットワークにおける端末デバイス又は将来の進化型公衆陸上移動ネットワーク(Public  Land  Mobile  Network,  PLMN)ネットワークにおける端末デバイスでもよい。
【０１１７】
限定ではなく例として、この出願の実施形態では、端末デバイスは、代替として、ウェアラブルデバイスでもよい。ウェアラブルデバイスはまた、ウェアラブルインテリジェントデバイスと呼ばれてもよく、ウェアラブル技術を使用することにより日常のウェアに対してインテリジェント設計を実行することにより開発された、メガネ、手袋、時計、衣類及び靴のようなウェアラブルデバイスの総称である。ウェアラブルデバイスは、身体に直接装着されるか、或いは、ユーザの衣類又はアクセサリに組み込まれるポータブルデバイスである。ウェアラブルデバイスは、ハードウェアデバイスを超えるものであり、ソフトウェアサポート、データ相互作用及びクラウド相互作用を通じて強力な機能を実現する。広い意味で、ウェアラブルインテリジェントデバイスは、包括的な機能を提供し且つスマートフォンと独立して完全又は部分的な機能を実現できる大型デバイス、例えば、スマートウォッチ又はスマートメガネを含み、特定のタイプのアプリケーション機能のみを意図しており且つスマートフォンのような他のデバイスと共に使用される必要があるデバイス、例えば、身体的特徴の監視のための様々なタイプのスマートバンド及びスマートジュエリーを含む。
【０１１８】
さらに、ネットワークデバイスは、モバイルデバイスと通信するように構成されたデバイスでもよい。ネットワークデバイスは、WLANにおけるアクセスポイント(Access  Point,  AP)又はGSM若しくはCDMAにおける基地送受信局(Base  Transceiver  Station,  BTS)でもよく、或いは、WCDMAにおけるノードB(NodeB,  NB)でもよく、或いは、LTEにおける進化型ノードB(Evolutional  Node  B,  eNB又はeNodeB)、又は中継ノード若しくはアクセスポイント、又は車載デバイス、ウェアラブルデバイス、将来の5Gネットワークにおけるネットワークデバイス、将来の進化型PLMNネットワークにおけるネットワークデバイス等でもよい。
【０１１９】
さらに、この出願の実施形態では、ネットワークデバイスは、セルのためのサービスを提供し、端末デバイスは、セル内で使用される送信リソース(例えば、周波数領域リソース、言い換えると、スペクトルリソース)を使用することにより、ネットワークデバイスと通信する。セルは、ネットワークデバイス(例えば、基地局)に対応するセルでもよい。セルは、マクロ基地局に属してもよく、或いは、スモールセル(Small  cell)に対応する基地局に属してもよい。ここでのスモールセルは、メトロセル(Metro  cell)、マイクロセル(Micro  cell)、ピコセル(Pico  cell)、フェムトセル(Femto  cell)等を含んでもよい。これらのセルは、小さいカバレッジエリア及び低い送信電力を特徴としており、高速データ送信サービスを提供するのに適している。
【０１２０】
さらに、LTEシステム又は5Gシステムでは、複数の周波数内セルがキャリア上で同時に動作してもよい。いくつかの特別なシナリオでは、キャリア及びセルの概念は等価であると考えられてもよい。例えば、キャリアアグリゲーション(Carrier  Aggregation,  CA)シナリオでは、セカンダリコンポーネントキャリアがUEのために構成されるとき、セカンダリコンポーネントキャリアのキャリアインデックスと、セカンダリコンポーネントキャリア上で動作するセカンダリサービングセルのセル識別子(Cell  Indentifier  Cell  ID)とが双方とも搬送される。この場合、キャリア及びセルの概念は等価であると考えられてもよい。例えば、UEについて、キャリアにアクセスすることは、セルにアクセスすることと等価である。
【０１２１】
この出願の実施形態において提供される方法及び装置は、端末デバイス又はネットワークデバイスに適用されてもよい。端末デバイス又はネットワークデバイスは、ハードウェア層と、ハードウェア層上で動作するオペレーティングシステム層と、オペレーティングシステム層上で動作するアプリケーション層とを含む。ハードウェア層は、中央処理装置(Central  Processing  Unit,  CPU)、メモリ管理ユニット(Memory  Management  Unit,  MMU)及びメモリ(メインメモリとも呼ばれる)のようなハードウェアを含む。オペレーティングシステムは、プロセス(Process)を使用することによりサービス処理を実現するいずれか1つ以上のタイプのコンピュータオペレーティングシステム、例えば、Linuxオペレーティングシステム、Unixオペレーティングシステム、Androidオペレーティングシステム、iOSオペレーティングシステム又はWindowsオペレーティングシステムでもよい。アプリケーション層は、ブラウザ、アドレス帳、ワードプロセッシングソフトウェア及びインスタントメッセージングソフトウェアのようなアプリケーションを含む。さらに、この出願の実施形態は、この出願の実施形態において提供される方法に従って通信を実現するためにこの出願の実施形態において提供される方法のプログラム記録コードが動作できる限り、この出願の実施形態において提供される方法の実行主体の具体的な構造を特に限定しない。例えば、この出願の実施形態において提供される方法の実行主体は、端末デバイス又はネットワークデバイスでもよく、或いは、端末デバイス又はネットワークデバイスにおいてプログラムを呼び出して実行することができる機能モジュールでもよい。
【０１２２】
さらに、この出願の実施形態における態様又は特徴は、標準化されたプログラミング及び/又はエンジニアリング技術を使用する方法、装置又は製品として実現されてもよい。この出願において使用される「製品」という用語は、いずれかのコンピュータ読取可能コンポーネント、担体又は媒体からアクセスできるコンピュータプログラムをカバーする。例えば、コンピュータ読取可能媒体は、磁気記憶コンポーネント(例えば、ハードディスク、フロッピーディスク又は磁気テープ)、光ディスク(例えば、コンパクトディスク(Compact  Disc,  CD)又はデジタル多用途ディスク(Digital  Versatile  Disc,  DVD))、スマートカード及びフラッシュメモリコンポーネント(例えば、消去可能プログラム可能読取専用メモリ(Erasable  Programmable  Read-Only  Memory,  EPROM)、カード、スティック又はキードライブ)を含んでもよいが、これらに限定されない。さらに、この明細書に記載される様々な記憶媒体は、情報を記憶するように構成された1つ以上のデバイス及び/又は他の機械読取可能媒体を示してもよい。「機械読取可能媒体」という用語は、無線チャネルと、命令及び/又はデータを記憶、包含及び/又は搬送できる様々な他の媒体とを含んでもよいが、これらに限定されない。
【０１２３】
図１は、この出願の実施形態による無線通信システムの概略図である。図１に示すように、通信システム100は、ネットワークデバイス102を含む。ネットワークデバイス102は、1つ以上のアンテナ、例えば、アンテナ104、106、108、110、112及び114を含んでもよい。さらに、ネットワークデバイス102は、送信機チェーン及び受信機チェーンを更に含んでもよい。当業者は、送信機チェーン及び受信機チェーンが信号送信及び受信に関連する複数のコンポーネント(例えば、プロセッサ、変調器、マルチプレクサ、復調器、デマルチプレクサ又はアンテナ)をそれぞれ含んでもよいことを理解し得る。
【０１２４】
ネットワークデバイス102は、複数の端末デバイス(例えば、端末デバイス116及び端末デバイス122)と通信してもよい。しかし、ネットワークデバイス102が端末デバイス116又は122と同様のいずれかの数の端末デバイスと通信してもよいことが理解できる。端末デバイス116及び122はそれぞれ、例えば、携帯電話、スマートフォン、ポータブルコンピュータ、ハンドヘルド通信デバイス、ハンドヘルド計算デバイス、衛星無線装置、グローバルポジショニングシステム、PDA及び/又は無線通信システム100において通信に使用される他の適切なデバイスでもよい。
【０１２５】
図１に示すように、端末デバイス116は、アンテナ112及び114と通信する。アンテナ112及び114は、フォワードリンク(ダウンリンクとも呼ばれる)118を通じて情報を端末デバイス116に送信し、リバースリンク(アップリンクとも呼ばれる)120を通じて端末デバイス116から情報を受信する。さらに、端末デバイス122は、アンテナ104及び106と通信する。アンテナ104及び106は、フォワードリンク124を通じて情報を端末デバイス122に送信し、リバースリンク126を通じて端末デバイス122から情報を受信する。
【０１２６】
例えば、周波数分割複信(Frequency  Division  Duplex,  FDD)システムでは、フォワードリンク118は、リバースリンク120により使用される周波数帯域とは異なる周波数帯域を使用してもよく、フォワードリンク124は、リバースリンク126により使用される周波数帯域とは異なる周波数帯域を使用してもよい。
【０１２７】
他の例では、時分割複信(Time  Division  Duplex,  TDD)システム及び全二重(Full  Duplex)システムでは、フォワードリンク118及びリバースリンク120は、同じ周波数帯域を使用してもよく、フォワードリンク124及びリバースリンク126は、同じ周波数帯域を使用してもよい。
【０１２８】
通信のために設計された各アンテナ(又は複数のアンテナを含むアンテナグループ)及び/又はエリアは、ネットワークデバイス102のセクタと呼ばれる。例えば、アンテナグループは、ネットワークデバイス102のカバレッジエリアのセクタ内で端末デバイスと通信するように設計されてもよい。ネットワークデバイスは、単一のアンテナ又はマルチアンテナ送信ダイバーシチを使用することにより、ネットワークデバイスに対応するセクタ内で信号を全ての端末デバイスに送信してもよい。フォワードリンク118及び124をそれぞれ使用することにより、ネットワークデバイス102により端末デバイス116及び122と通信するプロセスにおいて、ネットワークデバイス102の送信アンテナは、フォワードリンク118及び124の信号対雑音比を改善するためにビームフォーミングを使用してもよい。さらに、ネットワークデバイスが、ネットワークデバイスによりサービス提供される全ての端末デバイスに信号を送信するために単一のアンテナ又はマルチアンテナ送信ダイバーシチを使用する方式と比べて、ネットワークデバイス102が、関連するカバレッジエリア内でランダムに散在する端末デバイス116及び122に信号を送信するためにビームフォーミングを使用するとき、隣接するセル内にあるモバイルデバイスへの干渉が小さい。
【０１２９】
所与の時間内に、ネットワークデバイス102、端末デバイス116又は端末デバイス122は、無線通信送信装置及び/又は無線通信受信装置でもよい。データを送信するとき、無線通信送信装置は、送信のためにデータを符号化してもよい。具体的には、無線通信送信装置は、チャネルを通じて無線通信受信装置に送信される必要がある或る数のデータビットを取得(例えば、生成、他の通信装置から受信、又はメモリに記憶)してもよい。データビットは、データのトランスポートブロック(又は複数のトランスポートブロック)に含まれてもよく、トランスポートブロックは、複数のコードブロックを生成するようにセグメント化されてもよい。
【０１３０】
さらに、通信システム100は、PLMNネットワーク、D2Dネットワーク、M2Mネットワーク又は他のネットワークでもよい。図１は、単に例の簡略化された概略図である。ネットワークは、図１に描かれていない他のネットワークデバイスを更に含んでもよい。
【０１３１】
以下では、図２を参照して、ネットワークデバイス#A(ネットワークデバイスの例である)と端末デバイス#A(端末デバイスの例である)との間で参照信号#A1(第1の復調参照信号の例である)を送信するプロセスが、この出願の実施形態における参照信号送信及び受信方法200を小差に説明するための例として使用される。図２は、この出願の実施形態による参照信号送信及び受信方法200の概略相互作用図である。方法200に適用可能な通信システム(例えば、通信システム100)における少なくとも2つのタイプの参照信号が存在してもよい。
【０１３２】
限定ではなく例として、この出願のこの実施形態では、参照信号は、チャネルサウンディングに使用されてもよく、復調に更に使用される。例えば、この出願のこの実施形態における参照信号は、復調参照信号(Demodulation  Reference  Signal,  DMRS)を含んでもよい。
【０１３３】
少なくとも2つのタイプの参照信号は、制御情報(言い換えると、制御チャネル)を復調するために使用される参照信号(以下では理解及び区別を容易にするために、参照信号#1として示される)を含む。さらに、限定ではなく例として、制御情報は、ダウンリンク制御情報(Downlink  Control  Information,  DCI)を含んでもよく、制御チャネルは、物理ダウンリンク制御チャネル(Physical  Downlink  Control  Channel,  PDCCH)を含んでもよい。
【０１３４】
さらに、少なくとも2つのタイプの参照信号は、データ(言い換えると、データチャネル)を復調するために使用される参照信号(以下では理解及び区別を容易にするために、参照信号#2として示される)を含む。さらに、限定ではなく例として、データは、ダウンリンクデータを含んでもよく、データチャネルは、物理ダウンリンクデータチャネル(Physical  Downlink  Shared  Channel,  PDSCH)を含んでもよい。
【０１３５】
参照信号がチャネルサウンディング又はチャネル推定に使用される参照信号として使用されることは、単なる説明のための例であり、この出願のこの実施形態に対する限定を構成しないものとすることが理解されるべきである。この出願は、参照信号の同じ機能を実現するように参照信号を置き換えるために、既存又は将来のプロトコルにおいて他の名前が使用される可能性を除外しない。
【０１３６】
この出願のこの実施形態では、少なくとも2つのタイプの参照信号のうち少なくとも1つは、少なくとも2つのタイプの構成情報に対応する。例えば、上記の参照信号#1は、2つ以上のタイプの構成情報を有してもよく、及び/又は上記の参照信号#2は、2つ以上のタイプの構成情報を有してもよい。
【０１３７】
この出願のこの実施形態では、「構成情報」は、以下のパラメータの包括的な用語の例であり、この出願において特に限定されない。例えば、「構成情報」はまた、「モード」と呼ばれてもよい。
【０１３８】
以下に、この出願のこの実施形態における「構成情報」について詳細に説明する。
【０１３９】
この出願のこの実施形態では、「構成情報」は、以下のパラメータのうち1つ以上を含んでもよい。
【０１４０】
パラメータA:密度(具体的には、1つの時間周波数リソースグループ内で参照信号を搬送する時間周波数リソースの密度である)
【０１４１】
限定ではなく例として、この出願のこの実施形態では、各時間周波数リソースグループは、少なくとも2つの時間周波数リソースを含んでもよい。
【０１４２】
限定ではなく例として、時間周波数リソースは、リソースエレメント(Resource  Element,  RE)でもよい。この場合、時間周波数リソースグループは、リソースエレメントグループ(Resource  Element  Group,  REG)でもよい。
【０１４３】
理解及び区別を容易にするために、以下に、REGを時間周波数リソースグループとして使用することにより、この出願のこの実施形態における参照信号送信及び受信方法について詳細に説明する。
【０１４４】
この出願のこの実施形態では、「密度」はまた、参照信号密度と呼ばれ、1つの時間周波数リソースグループ(例えば、1つのREG)に対する、参照信号を伝達するために使用される時間周波数リソース(例えば、RE)の比でもよい。
【０１４５】
参照信号密度がρであり、この場合、ρ=B/Pであると仮定する。
【０１４６】
Bは、1つの時間周波数リソースグループ(例えば、1つのREG)内で参照信号を搬送する時間周波数リソース(例えば、RE)の数を表し、Pは、時間周波数リソースグループに含まれる全ての時間周波数リソースの数を表す。
【０１４７】
上記に列挙された時間周波数リソースの具体的な単位は、単に説明のための例であることが理解されるべきである。この出願は、これらに限定されない。当該技術分野における技術のいずれか1つは、必要に応じていずれかの単位の時間周波数リソースを定義するために使用されてもよい。対応して、上記に列挙された時間周波数リソースグループに含まれるエレメントもまた、いずれかの形式の時間周波数リソースを定義するために使用されてもよい。
【０１４８】
例えば、時間周波数リソースグループは、時間領域における指定の数のシンボルに対応し且つ周波数領域における指定の数のサブキャリアに対応する時間周波数リソースとして定義されてもよい。
【０１４９】
この場合、参照信号密度はまた、時間周波数リソースグループに含まれる全てのサブキャリアに対する、1つの時間周波数リソースグループ内で参照信号を搬送するサブキャリアの比でもよい。
【０１５０】
代替として、この場合、参照信号密度は、時間周波数リソースグループに含まれる全てのシンボルに対する、1つの時間周波数リソースグループ内で参照信号を搬送するシンボルの比でもよい。
【０１５１】
本発明のこの実施形態では、2つのタイプの構成情報のパラメータが異なることは、2つのタイプの構成情報のうち一方に対応する参照信号密度が、2つのタイプの構成情報のうち他方に対応する参照信号密度とは異なることを意味してもよい。
【０１５２】
図３は、この出願の実施形態による可能な参照信号密度の例の概略図である。例えば、図３に示すように、或るタイプの参照信号(例えば、参照信号#1又は参照信号#2)に対応する構成情報a及び構成情報dにおいて、参照信号を搬送するREの数は4であり、REG内のREの総数は12であり、参照信号に対応する構成情報a及び構成情報dのそれぞれにおける参照信号密度は4/12=1/3である。
【０１５３】
他の例では、図３に示すように、参照信号に対応する構成情報b、構成情報c、構成情報e及び構成情報fにおいて、参照信号を搬送するREの数は6であり、REG内のREの総数は12であり、参照信号に対応する構成情報bにおける参照信号密度は6/12=1/2である。
【０１５４】
パラメータB:位置(具体的には、1つの時間周波数リソースグループ内で参照信号を搬送する時間周波数リソースの位置である)
【０１５５】
この出願のこの実施形態では、「位置」はまた、参照信号位置と呼ばれてもよく、1つの時間周波数リソースグループ(例えば、1つのREG)内で参照信号を搬送するために使用される時間周波数リソース(例えば、RE)の位置でもよい。時間周波数リソースグループの定義は、「密度」についての説明における定義と同様である。繰り返しを回避するために、詳細な説明はここでは省略する。
【０１５６】
「位置」の上記の列挙された定義は、単なる説明のための例であることが理解されるべきである。この出願は、これらに限定されない。例えば、時間周波数リソースグループは、時間領域における指定の数のシンボルに対応し且つ周波数領域における指定の数のサブキャリアに対応する時間周波数リソースとして定義されてもよい。
【０１５７】
この場合、参照信号位置はまた、時間周波数リソースグループに含まれる全てのサブキャリアの中の、1つの時間周波数リソースグループ内で参照信号を搬送するサブキャリアの周波数領域位置でもよい。
【０１５８】
代替として、この場合、参照信号密度は、時間周波数リソースグループに含まれる全てのシンボルの中の、1つの時間周波数リソースグループ内で参照信号を搬送するシンボルの時間領域位置でもよい。
【０１５９】
本発明のこの実施形態では、2つのタイプの構成情報のパラメータが異なることは、2つのタイプの構成情報のうち一方に対応する参照信号位置が、2つのタイプの構成情報のうち他方に対応する参照信号位置とは異なることを示してもよい。
【０１６０】
図３は、この出願の実施形態による可能な参照信号位置の例の概略図である。例えば、図３に示すように、この出願のこの実施形態では、参照信号位置は、異なる密度を有するいずれか2つの構成情報について異なってもよい。例えば、構成情報a及び構成情報bのうちいずれか1つ(1/3の密度を有する)に対応する参照信号位置は、構成情報d、構成情報c、構成情報e及び構成情報fのうちいずれか1つ(1/2の密度を有する)に対応する参照信号位置とは異なってもよい。
【０１６１】
さらに、この出願のこの実施形態では、参照信号位置は、同じ密度を有する2つの構成情報について異なってもよい。例えば、構成情報a及び構成情報b(1/3の密度を有する)に対応する参照信号位置は異なってもよい。他の例では、構成情報d、構成情報c、構成情報e及び構成情報fのうちいずれかの2つ(1/2の密度を有する)に対応する参照信号位置は異なってもよい。
【０１６２】
異なる密度を有するいずれか2つの構成情報について、より低い密度を有する構成情報に対応する参照信号位置のうちいくつかの位置(言い換えると、いくつかの位置に対応する時間周波数リソース)は、より高い密度を有する構成情報に対応する参照信号位置(言い換えると、参照信号位置に対応する時間周波数リソース)に属してもよい点に更に留意すべきである。
【０１６３】
例えば、構成情報aに対応する参照信号位置のうちいくつかは、構成情報d又は構成情報cに対応する参照信号位置に属してもよい。
【０１６４】
他の例では、構成情報dに対応する参照信号位置のうちいくつかは、構成情報e又は構成情報fに対応する参照信号位置に属してもよい。
【０１６５】
限定ではなく例として、この出願のこの実施形態では、より低い密度を有する構成情報に対応する参照信号位置は、さらに、より高い密度を有する構成情報に対応する参照信号位置のサブセットでもよい。
【０１６６】
パラメータC:系列(具体的には、参照信号により使用される系列である)
【０１６７】
この出願のこの実施形態では、「系列」はまた、参照信号系列と呼ばれてもよく、参照信号により使用される系列でもよい。
【０１６８】
限定ではなく例として、この出願のこの実施形態では、参照信号により使用される系列は、擬似ランダム(pseudo-noise,  PN)系列を含んでもよい。
【０１６９】
任意選択で、この出願のこの実施形態では、参照信号は、以下の式
【数１】
2020523894.tif 000003
を使用することにより計算を通じて取得されてもよい。
【０１７０】
参照信号がディスカバリ参照信号(discovery  reference  signal,  DRS)として機能するとき、
【数２】
2020523894.tif 000004
である。他の場合(具体的には、参照信号がディスカバリ参照信号以外の機能を提供する)、ns’=nsである。
【０１７１】
ここで、
【数３】
2020523894.tif 000005
はスロットでns個のスロットにおける第lシンボル上の第m系列エレメントを表し、
【数４】
2020523894.tif 000006
の提示形式は、PN系列を変調することにより取得される複素数形式である。
【０１７２】
ここで、cinit_1及びcinit_3は、シンボル上の参照信号の系列を決定するために使用され、cinit_2は、時間単位(例えば、サブフレーム)内の参照信号の系列を決定するために使用される。
【０１７３】
cinit_1及びcinit_3が使用されるとき、hは、各PRB内で搬送される参照信号の数を表す。言い換えると、hは、各PRB内で参照信号を搬送するために使用されるリソース(例えば、RE)の数を表す。ここで、hは、所望の参照信号密度に基づいて決定されてもよい。限定ではなく例として、1つのPRB(時間周波数リソースグループの例である)内の参照信号密度が1/2であると想定されるとき、h=6であると仮定してもよい。他の例では、1つのPRB(時間周波数リソースグループの例である)内の参照信号密度が1/3であると想定されるとき、h=4であると仮定してもよい。hの上記の列挙された値は、単なる説明のための例であることが理解されるべきである。この出願は、これらに限定されない。
【０１７４】
cinit_2が使用されるとき、h=r×h’であり、h’は、各PRB内で搬送される参照信号の数を表す。言い換えると、h’は、各PRB内で参照信号を搬送するために使用されるリソース(例えば、RE)の数を表す。rは、1つの時間単位(例えば、サブフレーム)に含まれるシンボルの数を表し、h’は、所望の参照信号密度に基づいて決定されてもよい。限定ではなく例として、1つのPRB(時間周波数リソースグループの例である)内の参照信号密度が1/2であると想定されるとき、h’=6であると仮定してもよい。他の例では、1つのPRB(時間周波数リソースグループの例である)内の参照信号密度が1/3であると想定されるとき、h’=4であると仮定してもよい。h’の上記の列挙された値は、単なる説明のための例であることが理解されるべきである。この出願は、これらに限定されない。
【０１７５】
任意選択で、シンボルは、直交周波数分割多重(orthogonal  frequency  division  multiplexing,  OFDM)シンボルでもよく、或いは、将来のプロトコルにおいて定義され且つ時間単位を表すために使用されるシンボルでもよい。これは、この出願のこの実施形態では特に限定されない。NRBmax,DLはダウンリンクチャネルに含まれるリソースブロック(Resource  Block,  RB)の最大数を表す。cはPN系列であり、初期化系列cinitに基づいてPN系列生成器(例えば、ゴールド(Gold)系列生成器)により生成されてもよい。NIDCSIは復調参照信号の識別子であり、セル識別子NIDcellでもよく、或いは、高レイヤにより構成された識別子でもよい。NCPはサイクリックプレフィックス識別子であり、通常CP(normal  CP)に対応し、NCP=1である。拡張CP(extended  CP)については、NCP=0である。nRNTIはUEの識別子である。
【０１７６】
上記の式から、[0,h×NRBmax,DL]がmの値でトラバースされるとき、PN系列が取得されてもよいことが習得され得る。PN系列は、h×NRBmax,DL個の系列エレメントを含み、各系列エレメントは複素数信号であり、各系列エレメントは、復調参照信号の値と呼ばれてもよく、h×NRBmax,DL個の系列エレメントは、系列の長さがh×NRBmax,DLであることを意味してもよい。本発明のこの実施形態では、2つのタイプの構成情報のパラメータが異なることは、2つのタイプの構成情報のうち一方に対応する参照信号系列が、2つのタイプの構成情報のうち他方に対応する参照信号系列とは異なることを示してもよい。
【０１７７】
系列が異なることは、系列の長さが異なることを意味してもよい。
【０１７８】
代替として、系列が異なることは、異なる初期化値が擬似ランダム系列生成器の初期化に使用されるとき、(系列の長さが同じであっても)生成された擬似ランダム系列が異なることを意味してもよい。
【０１７９】
パラメータD:ポート(具体的には、参照信号に対応するアンテナポートである)
【０１８０】
この出願のこの実施形態では、同じネットワークデバイスは、CDM方式、周波数分割多重(frequency  division  multiplexing,  FDM)方式、時分割多重(time  division  multiplexing,  TDM)方式等で異なるアンテナポートを区別してもよい。FDM又はTDMが使用される場合、異なるアンテナポートの参照信号により占有される周波数領域リソース又は時間領域リソースは異なってもよい。CDMが使用される場合、異なるアンテナポートの参照信号により占有される時間周波数リソースは同じでもよく、異なるアンテナポートは多重コードを使用することにより区別される。
【０１８１】
さらに、この出願のこの実施形態では、CDMは、周波数領域CDM及び時間領域CDMを含んでもよい。
【０１８２】
さらに、この出願のこの実施形態では、異なる参照信号は同じシンボル内に構成できる。言い換えると、複数の(2つ以上の)参照信号は、周波数領域CDM方式で送信されてもよい。
【０１８３】
アンテナポートはまた、参照信号ポートと呼ばれてもよく、或いは、より具体的には、ビームフォーミング(beamforming)を通じてプリコーディングされていない参照信号ポートとして理解されてもよい点に留意すべきである。参照信号は、参照信号ポートにより定義され、各参照信号は、1つのアンテナポートに対応する。
【０１８４】
本発明のこの実施形態では、2つのタイプの構成情報のパラメータが異なることは、2つのタイプの構成情報のうち一方に対応するアンテナポートが、2つのタイプの構成情報のうち他方に対応するアンテナポートとは異なることを示してもよい。
【０１８５】
「構成情報」に含まれる上記の列挙されたパラメータは、単なる説明の例であり、この出願では特に限定されないことが理解されるべきである。異なる構成情報を識別できる他のパラメータは、この出願の実施形態の保護範囲内に入る。
【０１８６】
この出願のこの実施形態では、同じタイプの参照信号(例えば、参照信号#1又は参照信号#2)は、複数のタイプ(2つ以上のタイプ)の構成情報に対応してもよく、言い換えると、同じ参照信号(例えば、参照信号#1又は参照信号#2に属する)は、複数のタイプの構成情報に対応してもよく、同じ参照信号に対応する複数の構成情報は、上記のパラメータA、B、C及びDのうち少なくとも1つのタイプに関して異なる。
【０１８７】
具体的には、この出願のこの実施形態では、参照信号#1は、複数のタイプの構成情報に対応してもよい。
【０１８８】
さらに、この出願のこの実施形態では、参照信号#2は、複数のタイプの構成情報に対応してもよい。
【０１８９】
さらに、限定ではなく例として、1つ以上の同じ構成情報が、参照信号#1に対応する構成情報及び参照信号#2に対応する構成情報に存在してもよい。代替として、参照信号#1に対応するそれぞれの構成情報及び参照信号#2に対応するそれぞれの構成情報は異なってもよい。これは、この出願では特に限定されない。
【０１９０】
したがって、S210において、ネットワークデバイス#Aは、参照信号#A1に対応する複数の(2つ以上の)構成情報を決定してもよい。具体的には、ネットワークデバイス#Aは、参照信号#A1の参照信号タイプ(すなわち、復調対象)を決定し、参照信号#A1の参照信号タイプに基づいて、参照信号#A1に対応する複数の構成情報を決定してもよい。
【０１９１】
例えば、参照信号#A1が制御情報を復調するために使用される参照信号(すなわち、参照信号#1)に属する場合、ネットワークデバイス#Aは、参照信号#1に対応する複数の構成情報に基づいて、参照信号#A1に対応する複数の構成情報を決定してもよい。
【０１９２】
例えば、参照信号#A1がデータを復調するために使用される参照信号(すなわち、参照信号#2)に属する場合、ネットワークデバイス#Aは、参照信号#2に対応する複数の構成情報に基づいて、参照信号#A1に対応する複数の構成情報を決定してもよい。
【０１９３】
続いて、ネットワークデバイス#Aは、参照信号#A1に対応する複数の構成情報のうち、参照信号#A1が端末デバイス#Aに送信されるときに使用される構成情報(以下では理解及び区別を容易にするために、構成情報#Aとして示される)を決定してもよい。
【０１９４】
限定ではなく例として、この出願のこの実施形態では、ネットワークデバイス#Aは、以下の方法のうちいずれか1つを使用することにより、構成情報#Aを決定してもよい。
【０１９５】
方法1
【０１９６】
この出願のこの実施形態では、ネットワークデバイス#Aは、マッピング関係#1(第1のマッピング関係の例である)を記憶してもよく、マッピング関係#1は、複数の(2つ以上の)タイプの情報フォーマットと複数の(2つ以上の)タイプの構成情報との間の1対1のマッピング関係を示すために使用されてもよい。
【０１９７】
限定ではなく例として、この出願のこの実施形態では、情報フォーマットは、制御情報(例えば、ダウンリンク制御情報)の情報フォーマットでもよい。
【０１９８】
この出願のこの実施形態では、制御情報の機能は、以下の態様、すなわち、アップリンク送信又はダウンリンク送信をスケジューリングすること、非周期的チャネル品質インジケータ(Channel  Quality  Indicator,  CQI)を報告することを要求すること、アップリンク電力制御コマンドを通知すること等を含んでもよいが、これらに限定されない。異なる情報フォーマットは、異なる機能を有してもよい。
【０１９９】
さらに、この出願のこの実施形態では、異なるサービスは、異なる情報フォーマットを使用してもよい。
【０２００】
さらに、限定ではなく例として、この出願のこの実施形態では、複数の情報フォーマットは、複数のサービスタイプと1対1のマッピング関係を有してもよい。
【０２０１】
さらに、限定ではなく例として、この出願のこの実施形態では、複数のサービスタイプは、
超高信頼性及び低遅延通信(Ultra  Reliability  Low  Latency  Communication,  URLLC)タイプ及び
進化型モバイルブロードバンド(Evolved  Mobile  Broadband,  eMBB)タイプ
を含んでもよいが、これらに限定されない。
【０２０２】
具体的には、国際電気通信連合無線通信部門(ITU-R,  International  Telecommunications  Union-  Radio  Communications  Sector)は、3つの主なタイプの将来の5G適用シナリオ、すなわち、eMBBサービス、大量接続されたモノのインターネット(mMTC,  Massive  Machine  Type  Communication)サービス並びに超高信頼及び低遅延通信(URLLC,  Ultra  Reliable  &  Low  Latency  Communication)サービスを定義しており、スループットレート、遅延、接続密度及びスペクトル効率改善のような、8つの次元からの5Gネットワークの能力要件を定義している。eMBBサービスは、主に、高速、広いカバレッジ、送信遅延及びモビリティを必要とする。URLLCサービスは、主に、非常に高い信頼性、非常に低いモビリティ及び非常に低い送信遅延を必要とする。通常では、無線エアインタフェースは、1ミリ秒(ms)内に99.999%の送信信頼度を達成することが必要とされる。言い換えると、異なるサービス(言い換えると、サービスタイプ)が異なる送信信頼性要件を有するので、異なるサービス(言い換えると、サービスタイプ)は異なる構成情報に対応する参照信号を使用してもよい。
【０２０３】
具体的には、この出願のこの実施形態では、異なるサービスタイプは、異なる情報フォーマットに対応してもよい。例えば、情報フォーマットAは、eMBBサービスの送信をスケジューリングするために使用され、情報フォーマットBは、eMBBサービスの送信をスケジューリングするために使用される。
【０２０４】
以下の表１は、マッピング関係#1の例を示す。
【表１】
2020523894.tif 000007
【０２０５】
表１に列挙された具体的な対応関係は、単なる説明のための例であり、この出願のこの実施形態は、これらに限定されないことが理解されるべきである。当業者は、1つの構成情報が具体的な情報フォーマットに基づいて一意に決定できることが確保できる限り、実際の要件に基づいてマッピング関係#1をランダムに設定又は変更してもよい。
【０２０６】
したがって、ネットワークデバイス#Aは、参照信号#A1を使用することにより復調された制御情報(以下では理解及び区別を容易にするために、ダウンリンク制御情報#Aとして示される)の情報フォーマットを決定してもよい。
【０２０７】
さらに、ネットワークデバイス#Aは、ダウンリンク制御情報#Aの情報フォーマットに基づいて、構成情報#Aとして、参照信号#A1に対応する複数の構成情報のうちダウンリンク制御情報#Aの情報フォーマットに対応する構成情報を使用してもよい。
【０２０８】
方法2
【０２０９】
この出願のこの実施形態では、ネットワークデバイス#Aは、マッピング関係#3(第3のマッピング関係の例である)を記憶してもよく、マッピング関係#3は、複数の(2つ以上の)タイプのチャネルフォーマットと複数の(2つ以上の)タイプの構成情報との間の1対1のマッピング関係を示すために使用されてもよい。
【０２１０】
限定ではなく例として、この出願のこの実施形態では、チャネルフォーマットは、制御情報を搬送するために使用されるリソースの使用形式(例えば、集約レベル)でもよい。
【０２１１】
任意選択で、この出願のこの実施形態では、複数のタイプのチャネルフォーマットは、制御情報により占有される制御チャネルエレメント(Control  Channel  Element,  CCE)の数及び制御情報により占有されるREGの数に基づいて決定されてもよい。以下の表２は、異なるチャネルフォーマットの間の違いを示す。
【表２】
2020523894.tif 000008
【０２１２】
具体的には、表２に示すように、異なるチャネルフォーマットは、異なる数のCCE及び異なる数のREGを占有してもよい。
【０２１３】
この出願のこの実施形態では、制御情報がCCE（又はREG）を「占有する」ことは、制御情報が「占有された」CCE(又はREG)内のいくつかのリソース内で搬送されることを意味してもよく、或いは、制御情報がCCE(又はREG)を「占有する」ことは、制御情報が「占有された」CCE(又はREG)内の全てのリソース内で搬送されることを意味してもよい点に留意すべきである。これは、この出願において特に限定されない。
【０２１４】
以下の表３は、マッピング関係#3の例を示す。
【表３】
2020523894.tif 000009
【０２１５】
表２に列挙された具体的な対応関係は、単なる説明のための例であり、この出願のこの実施形態は、これらに限定されないことが理解されるべきである。当業者は、1つの構成情報が具体的なチャネルフォーマットに基づいて一意に決定できることが確保できる限り、実際の要件に基づいてマッピング関係#3をランダムに設定又は変更してもよい。
【０２１６】
したがって、ネットワークデバイス#Aは、参照信号#A1を使用することにより復調された制御情報(以下では理解及び区別を容易にするために、ダウンリンク制御情報#Aとして示される)に対応する(具体的には、搬送するチャネルの)チャネルフォーマット(言い換えると、集約レベル)を決定してもよい。
【０２１７】
さらに、ネットワークデバイス#Aは、ダウンリンク制御情報#Aに対応するチャネルフォーマットに基づいて、構成情報#Aとして、参照信号#A1に対応する複数の構成情報のうちダウンリンク制御情報#Aに対応するチャネルフォーマットに対応する構成情報を使用してもよい。
【０２１８】
さらに、限定ではなく例として、この出願のこの実施形態では、複数のチャネルフォーマットは、複数のサービスタイプと1対1のマッピング関係を有してもよい。
【０２１９】
さらに、限定ではなく例として、この出願のこの実施形態では、複数のサービスタイプは、URLLCタイプ及びeMBBタイプを含んでもよいが、これらに限定されない。
【０２２０】
さらに、参照信号密度が比較的高いとき、復調の成功の可能性が増加し、したがって、送信信頼度が比較的高い。したがって、例えば、参照信号#1について、参照信号#1がURLLCサービスの制御情報を復調するために使用される場合、参照信号#1が送信されるとき、比較的高い密度(例えば、1/2)を有する構成情報が使用されてもよい。この場合、URLLCサービスが送信されるとき、制御情報は、チャネルフォーマット2の制御チャネル又はチャネルフォーマット3の制御チャネルを使用することにより送信されてもよいことが指定されてもよい。また、上記の表３に従って、チャネルフォーマット2又はチャネルフォーマット3に対応する構成情報が参照信号を送信するために使用されることが決定されてもよい。
【０２２１】
他の例では、参照信号#1について、参照信号#1がeMBBサービスの制御情報を復調するために使用される場合、参照信号#1が送信されるとき、比較的低い密度(例えば、1/3)を有する構成情報が使用されてもよい。この場合、eMBBサービスが送信されるとき、制御情報は、チャネルフォーマット0の制御チャネル又はチャネルフォーマット1の制御チャネルを使用することにより送信されてもよいことが指定されてもよい。さらに、上記の表３に従って、チャネルフォーマット0又はチャネルフォーマット1に対応する構成情報が参照信号を送信するために使用されることが決定されてもよい。
【０２２２】
方法3
【０２２３】
この出願のこの実施形態では、ネットワークデバイス#Aは、マッピング関係#2(第2のマッピング関係の例である)を記憶してもよく、マッピング関係#2は、複数の(2つ以上の)サービスタイプと複数の(2つ以上の)タイプの構成情報との間の1対1のマッピング関係を示すために使用されてもよい。
【０２２４】
限定ではなく例として、この出願のこの実施形態では、複数のサービスタイプは、
URLLCタイプ及び
eMBBタイプ
を含んでもよいが、これらに限定されない。
【０２２５】
異なるサービス(言い換えると、サービスタイプ)が異なる送信信頼性要件を有するので、異なるサービス(言い換えると、サービスタイプ)は異なる構成情報の参照信号を使用してもよい。
【０２２６】
さらに、参照信号密度が比較的高いとき、復調の成功の可能性が増加し、したがって、送信信頼度が比較的高い。したがって、例えば、参照信号#1について、参照信号#1がURLLCサービスの制御情報を復調するために使用される場合、参照信号#1が送信されるとき、比較的高い密度(例えば、1/2)を有する構成情報が使用されてもよい。
【０２２７】
他の例では、参照信号#1について、参照信号#1がeMBBサービスの制御情報を復調するために使用される場合、参照信号#1が送信されるとき、比較的低い密度(例えば、1/3)を有する構成情報が使用されてもよい。
【０２２８】
他の例では、参照信号#2について、参照信号#2がURLLCサービスのデータを復調するために使用される場合、参照信号#2が送信されるとき、比較的高い密度(例えば、1/2)を有する構成情報が使用されてもよい。
【０２２９】
他の例では、参照信号#2について、参照信号#2がeMBBサービスのデータを復調するために使用される場合、参照信号#2が送信されるとき、比較的低い密度(例えば、1/3)を有する構成情報が使用されてもよい。
【０２３０】
以下の表４は、マッピング関係#2の例を示す。
【表４】
2020523894.tif 000010
【０２３１】
表４に列挙された具体的な対応関係は、単なる説明のための例であり、この出願のこの実施形態は、これらに限定されないことが理解されるべきである。当業者は、サービスが送信されるときに使用される参照信号の構成情報が具体的なサービスタイプに基づいて決定できることが確保できる限り、実際の要件に基づいてマッピング関係#2をランダムに設定又は変更してもよい。
【０２３２】
したがって、ネットワークデバイス#Aは、参照信号#A1を使用することにより復調された制御情報又はデータが属するサービスのサービスタイプ(以下では理解を容易にするために、サービスタイプ#Aとして示される)を決定してもよい。
【０２３３】
さらに、ネットワークデバイス#Aは、サービスタイプ#Aに基づいて、構成情報#Aとして、参照信号#A1に対応する複数の構成情報のうちサービスタイプ#Aに対応する構成情報を使用してもよい。
【０２３４】
さらに、S210において、ネットワークデバイス#Aは、構成情報#Aの指示情報(第1の指示情報の例である)を端末デバイス#Aに送信してもよい。
【０２３５】
したがって、端末デバイス#Aは、指示情報に基づいて、ネットワークデバイス#Aが参照信号#A1を送信するとき(具体的には、参照信号#A1が以下の時間周波数リソースグループ#1を使用することにより送信されるとき)に使用される構成情報(すなわち、構成情報#A)を習得してもよい。
【０２３６】
S220において、ネットワークデバイス#Aは、1つ以上の時間周波数リソースグループ(以下では理解及び区別を容易にするために、時間周波数リソースグループ#1として示される)を使用することにより、構成情報#Aに基づいて、参照信号#A1を端末デバイス#Aに送信してもよく、ネットワークデバイスは、参照信号#A1を使用することにより復調される必要があるダウンリンク情報を端末デバイス#Aに送信してもよい。
【０２３７】
例えば、構成情報#Aのパラメータが参照信号密度を含むとき、1つ以上の時間周波数リソースグループ#1のそれぞれにおいて、参照信号密度は、構成情報#Aに対応する参照信号密度である。
【０２３８】
他の例では、構成情報#Aのパラメータが参照信号位置を含むとき、1つ以上の時間周波数リソースグループ#1内の参照信号#A1の位置は、構成情報#Aに対応する参照信号位置である。
【０２３９】
更に他の例では、構成情報#Aのパラメータが参照信号により使用される系列を含むとき、1つ以上の時間周波数リソースグループ#1内の参照信号#A1により使用される系列は、構成情報#Aに対応する系列である。
【０２４０】
もう1つの他の例では、構成情報#Aのパラメータが参照信号に関連するアンテナポートを含むとき、1つ以上の時間周波数リソースグループ#1を使用することにより参照信号#A1を送信するために使用されるアンテナポートは、構成情報#Aに対応するアンテナポートである。
【０２４１】
対応して、端末デバイス#Aは、1つ以上の時間周波数リソースグループ#1を使用することにより、構成情報#Aに基づいて、ネットワークデバイス#Aから参照信号#A1を受信してもよく、端末デバイス#Aは、ネットワークデバイス#Aから、参照信号#A1を使用することにより復調される必要があるダウンリンク情報を受信し、参照信号#A1に基づいてダウンリンク情報を復調してもよい。
【０２４２】
この出願のこの実施形態における参照信号送信方法又は参照信号受信方法によれば、1つの参照信号は、複数のタイプの構成情報に対応することが可能になり、それにより、実際のサービス送信において、ネットワークデバイスは、複数のタイプの構成情報から、現在のサービスに合致する、言い換えると、現在のサービスの送信信頼性を確保できる1つのタイプの構成情報を選択でき、それにより、異なる信頼性要件を有するサービスの参照信号の要件を満たす。
【０２４３】
この出願のこの実施形態では、参照信号#Aを使用することにより復調される必要がある上記のダウンリンク情報は、ダウンリンクデータ#A1(第1のダウンリンクデータの例である)又はダウンリンク制御情報#A(第1のダウンリンク制御情報の例である)を含んでもよい点に留意すべきである。
【０２４４】
さらに、ダウンリンク情報がダウンリンク制御情報#Aを含むとき、この出願のこの実施形態では、参照信号#Aは、ダウンリンクデータ#A2(第2のダウンリンクデータの例である)を復調するために更に使用されてもよい。
【０２４５】
以下に、上記のプロセスについて詳細に説明する。
【０２４６】
この出願のこの実施形態では、データ又は情報は、リソースセットを使用することにより送信されてもよく、1つのリソースセットは、1つ以上の時間周波数リソースグループを含んでもよい。
【０２４７】
限定ではなく例として、この出願のこの実施形態では、制御情報を送信するために使用されるリソースセットはまた、制御リソースセット(Control  Resource  Set,  CORESET)と呼ばれてもよい。
【０２４８】
さらに、1つのCORESETは、複数のREG(時間周波数リソースグループの例である)を含んでもよい。
【０２４９】
以下では、理解及び区別を容易にするために、ダウンリンク制御情報#A及び参照信号#Aを搬送するために使用されるCORESTは、リソースセット#1(第1のリソースセットの例である)として示される。
【０２５０】
限定ではなく例として、図４に示すように、リソースセット#1は、時間領域における1つのシンボルと、周波数領域における6つのサブキャリアとを占有してもよい。他の例では、図５に示すように、リソースセット#1は、時間領域における1つのシンボルと、周波数領域における16個のサブキャリアとを占有してもよい。
【０２５１】
リソースセット#1の上記の列挙された構造(例えば、占有されるサブキャリア又はシンボルの数)は、単なる説明のための例であり、この出願では特に限定されないことが理解されるべきである。当業者は、必要に応じて、リソースセット#1により占有されるシンボル又はサブキャリアの数をランダムに設定又は変更してもよい。
【０２５２】
任意選択で、この出願のこの実施形態では、ネットワークデバイス#Aは、リソースセット#2を使用することにより、ダウンリンクデータ#A2を端末デバイス#Aに更に送信してもよい。
【０２５３】
この場合、この出願のこの実施形態では、ダウンリンクデータ#A2を送信するために2つの方式が提供されてもよい。
【０２５４】
方式1:ダウンリンクデータ#A2は、参照信号#Aに基づいて復調される。
【０２５５】
この出願のこの実施形態では、指定の(時間領域又は周波数領域)位置関係が、同じ参照信号に基づいて復調される制御情報(例えば、ダウンリンク制御情報#A)及びデータ(例えば、ダウンリンクデータ#A2)によりそれぞれ占有される2つのリソースセット(例えば、リソースセット#2及びリソースセット#1)の間で満たされる必要がある。
【０２５６】
任意選択で、この出願のこの実施形態では、周波数領域におけるリソースセット#2とリソースセット#1との間の間隔は、予め設定された閾値#1(第2の閾値の例である)以下である必要がある。限定ではなく例として、閾値#1は通信システム又はプロトコルにおいて指定された値でもよい。例えば、閾値#1は、1つのRB又は1つのRBグループに対応する周波数領域リソースのサイズ(例えば、6つのサブキャリア)でもよい。
【０２５７】
限定ではなく例として、図４に示すように、リソースセット#2_1(リソースセット#2の例である)により占有されるサブキャリア及びリソースセット#1_1(リソースセット#1の例である)により占有されるサブキャリアは同じでもよい(周波数領域における間隔が0である例である)。
【０２５８】
他の例では、図４に示すように、リソースセット#2_2(リソースセット#2の他の例である)により占有されるサブキャリアは、リソースセット#1_1により占有されるサブキャリアに隣接してもよい(周波数領域における間隔が0である他の例である)。
【０２５９】
更に他の例では、図４に示すように、リソースセット#2_3(リソースセット#2の更に他の例である)により占有されるサブキャリアは、リソースセット#1_1により占有されるサブキャリアに隣接してもよい(周波数領域における間隔が0である例である)。
【０２６０】
もう1つの他の例では、図５に示すように、リソースセット#2_4(リソースセット#2のもう1つの他の例である)により占有されるサブキャリア及びリソースセット#1_2(リソースセット#1の他の例である)により占有されるサブキャリアは同じでもよい(周波数領域における間隔が0である例である)。
【０２６１】
図４又は図５において列挙されたリソースセット#2とリソースセット#1との間の上記の位置関係は、単なる説明のための例であり、この出願は、これらに限定されないことが理解されるべきである。例えば、リソースセット#2により占有されるサブキャリア及びリソースセット#1により占有されるサブキャリアは、代替として、1つ以上の(閾値#1以下の)サブキャリアにより隔てられてもよい。
【０２６２】
任意選択で、この出願のこの実施形態では、時間領域におけるリソースセット#2とリソースセット#1との間の間隔は、予め設定された閾値#2(第1の閾値の例である)以下である必要がある。限定ではなく例として、閾値#2は、通信システムにより構成又は予め設定された値でもよい。「構成された」は、ネットワークデバイスが構成情報を端末デバイスに送信する必要があることを意味する。例えば、閾値#2は、1つのRB又は1つのRBグループに対応する時間領域リソースのサイズ(例えば、1つ又は2つのシンボル)でもよい。
【０２６３】
限定ではなく例として、図４に示すように、リソースセット#2_1又はリソースセット#2_3により占有されるシンボルは、リソースセット#1_1により占有されるシンボルに隣接してもよい(時間領域における間隔が0である例である)。
【０２６４】
例えば、図４に示すように、リソースセット#2_2により占有されるシンボルは、リソースセット#1_1により占有されるシンボルと同じでもよい(周波数領域における間隔が0である他の例である)。
【０２６５】
他の例として、図５に示すように、リソースセット#2_4により占有されるシンボルは、リソースセット#1_2により占有されるシンボルに隣接してもよい(時間領域における間隔が0である他の例である)。
【０２６６】
上記の列挙された位置関係は、単に説明のための例であることが理解されるべきである。この出願は、これらに限定されない。例えば、リソースセットがRB又はRBグループであるとき、以下の場合が存在してもよい。上記の位置関係はリソースセット#2とリソースセット#1との間で満たされるが、リソースセット#1内にあり且つダウンリンク制御情報#A及び参照信号#Aを搬送するために使用される時間周波数リソースグループ#1(例えば、1つ以上のREG)と、リソースセット#2内のいくつかの時間周波数リソースグループ(以下では理解及び説明を容易にするために、時間周波数リソースグループ#2として示される)とは、(周波数領域又は時間領域において)比較的広く隔てられる。この場合、時間周波数リソースグループ#2内で搬送されるデータが参照信号#Aに基づいて復調される場合、復調の成功率は比較的低く、これは送信信頼性を低下させる可能性がある。
【０２６７】
このため、この出願のこの実施形態では、リソースセット#1内にあり且つ制御情報#A及び参照信号#Aを搬送するために使用される時間周波数リソースグループ#1と、リソースセット#2内にあり且つダウンリンクデータ#A2を搬送するために使用される時間周波数リソースグループ(第3の時間周波数リソースグループの例であり、以下では理解及び説明を容易にするために、時間周波数リソースグループ#3として示される)とは、指定の(時間領域又は周波数領域)位置関係を満たす必要がある。
【０２６８】
任意選択で、位置関係は、周波数領域における時間周波数リソースグループ#1と時間周波数リソースグループ#3との間の間隔が、予め設定された閾値#3(第4の閾値の例である)以下である必要があることでもよい。限定ではなく例として、閾値#3は、通信システム又はプロトコルにおいて指定された値でもよい。例えば、閾値#3は、1つのRB又は1つのRBグループに対応する周波数領域リソースのサイズ(例えば、6つのサブキャリア)でもよい。
【０２６９】
代替として、位置関係は、時間領域における時間周波数リソースグループ#1と時間周波数リソースグループ#3との間の間隔が、予め設定された閾値#4(第3の閾値の例である)以下である必要があることでもよい。限定ではなく例として、閾値#4は、通信システム又はプロトコルにおいて指定された値でもよい。例えば、閾値#4は、1つのRB又は1つのRBグループに対応する時間領域リソースのサイズ(例えば、1つ又は2つのシンボル)でもよい。
【０２７０】
限定ではなく例として、ダウンリンクデータを復調するために使用される参照信号(以下では理解及び区別を容易にするために、参照信号#Xとして示される)の系列の長さ(例えば、1つのシンボル上の系列の長さ)はtであると仮定し、参照信号#Xの系列の長さtは、参照信号#Xを搬送するために使用される時間周波数リソース(例えば、PRB)の数に基づいて決定されてもよく、例えば、長さtは、式(1)に従って決定されてもよい。
【０２７１】
参照信号#Xを搬送するために使用される(例えば、連続する)時間周波数リソースは、時間周波数リソース#0〜時間周波数リソース#n(例えば、時間周波数リソース#0〜時間周波数リソース#nは、1つのシンボルに対応する)であり、時間周波数リソース#0〜時間周波数#n内の時間周波数リソース#m〜時間周波数リソース#k(例えば、これらは連続する)は、制御情報を搬送するために使用されるCORESETとして構成されると仮定する。さらに、時間周波数リソース#m〜時間周波数リソース#k上で搬送され且つ制御情報を復調するために使用される参照信号(以下では理解及び区別を容易にするために、参照信号#Yとして示される)の系列の長さは、uであると仮定する。
【０２７２】
この場合、ネットワークデバイスは、参照信号#Xの系列の最初のp個の系列(言い換えると、長さがtである参照信号#Xの系列のうち1番目の系列〜p番目の系列)を、時間周波数リソース#0〜時間周波数リソース#m-1に追加してもよく、p個の系列の具体的な値は、時間周波数リソース#0〜時間周波数リソース#m-1のサイズに対応してもよい。
【０２７３】
さらに、ネットワークデバイスは、参照信号#Xの系列内にあり且つp個の系列に続くu個の系列(言い換えると、長さがtである参照信号#Xの系列内の(p+1)番目の系列〜(p+u)番目の系列)を、時間周波数リソース#m〜時間周波数リソース#kに追加しなくてもよく、ダウンリンクデータは、時間周波数リソース#m〜時間周波数リソース#k内で搬送される参照信号#Yに基づいて復調されてもよい。
【０２７４】
さらに、ネットワークデバイスは、参照信号#Xの系列内の最後のt-p-u個の系列(言い換えると、長さがtである参照信号#Xの系列の(p+u+1)番目の系列〜t番目の系列)を、時間周波数リソース#k〜時間周波数リソース#nに追加してもよい。
【０２７５】
言い換えると、この出願のこの実施形態では、長さがtである参照信号#Xの系列内で、(p+1)番目の系列〜(p+u)番目の系列はスキップされる。
【０２７６】
この出願のこの実施形態では、参照系列の長さは、1つのシンボル上の系列の長さでもよく、具体的には、上記の数式(1)に従って生成された系列の長さは、1つのシンボル上の系列の長さであり、tの値は、上記の式(1)に従って生成された系列の長さでもよい点に留意すべきである。
【０２７７】
代替として、参照系列の長さは、複数のシンボル(例えば、1つの送信時間間隔TTIに含まれる複数のシンボル)上の系列の長さでもよく、具体的には、上記の式(1)に従って生成された系列の長さは、複数のシンボル上の系列の長さであり、tの値は、上記の式(1)に従って生成された系列の長さにおける、CORESETの1つのシンボル上に位置する系列の長さでもよい。
【０２７８】
図４に示すように、この出願のこの実施形態では、同じシンボル(例えば、シンボル#1)がダウンリンクデータ及びダウンリンク制御情報の双方を搬送するとき、ダウンリンクデータ(例えば、ダウンリンクデータ#A2)を復調するために使用されるDMRSがマッピングされる必要がある時間周波数リソース(例えば、RE#1)が、ダウンリンク制御情報(例えば、ダウンリンク制御情報#A)を復調するために使用されるDMRSがマッピングされる必要がある時間周波数リソース(例えば、RE#1)と同じである場合、ダウンリンクデータを復調するために使用されるDMRSは、RE#1にマッピングされない。この場合、ダウンリンクデータ(例えば、ダウンリンクデータ#A2)は、ダウンリンク制御情報(例えば、ダウンリンク制御情報#A)を復調するために使用されるDMRSに基づいて復調されてもよい。
【０２７９】
さらに、図５に示すように、ダウンリンク制御情報がダウンリンクデータと同じシンボル(例えば、シンボル#2)上で搬送されないとき、言い換えると、ダウンリンクデータ(例えば、ダウンリンクデータ#A2)のみが搬送されるとき、ダウンリンクデータ(例えば、ダウンリンクデータ#A2)を復調するために使用されるDMRSがマッピングされる必要がある時間周波数リソース(例えば、RE#2)に対応する周波数範囲が、ダウンリンク制御情報(例えば、ダウンリンク制御情報#A)を復調するために使用されるDMRSがマッピングされる必要がある時間周波数リソース(例えば、RE#3)に対応する周波数範囲と同じである場合、ダウンリンクデータを復調するために使用されるDMRSは、RE#2にマッピングされない。この場合、ダウンリンクデータ(例えば、ダウンリンクデータ#A2)は、ダウンリンク制御情報(例えば、ダウンリンク制御情報#A)を復調するために使用されるDMRSに基づいて復調されてもよい。
【０２８０】
任意選択で、この出願のこの実施形態では、ネットワークデバイス#Aは、プリコーディング行列#A(第1のプリコーディング行列の例である)に基づいて、参照信号#A及びダウンリンク制御情報#Aに対してプリコーディング処理を実行してもよい。
【０２８１】
さらに、ネットワークデバイス#Aは、プリコーディング行列#Aに基づいて、ダウンリンクデータ#A2を搬送するために使用されるリソースセット(すなわち、リソースセット#2)内で搬送されるデータ(ダウンリンクデータ#A2を含む)に対してプリコーディング処理を更に実行してもよい。
【０２８２】
さらに、リソースセット#2が参照信号(以下では理解及び説明を容易にするために、参照信号#A2として示される)を搬送するとき、ネットワークデバイス#Aは、プリコーディング行列#Aに基づいて、参照信号#A2に対してプリコーディング処理を更に実行してもよい。
【０２８３】
参照信号#A2及び参照信号#A1の構成情報(具体的には、構成情報に含まれるパラメータ)は同じでもよく或いは異なってもよい点に留意すべきである。これは、この出願では特に限定されない。
【０２８４】
任意選択で、リソースセット#1が1つ以上のRB(又はRBグループ)を占有するとき、ネットワークデバイス#Aは、プリコーディング行列#Aに基づいて、RBグループ#A1内で搬送されるデータに対してプリコーディング処理を更に実行してもよく、RBグループ#A1は、リソースセット#1により占有されるRB(又はRBグループ)を含む。
【０２８５】
さらに、RBグループ#A1が参照信号(以下では理解及び説明を容易にするために、参照信号#A3として示される)を搬送するとき、ネットワークデバイス#Aは、プリコーディング行列#Aに基づいて、参照信号#A3に対してプリコーディング処理を更に実行してもよい。
【０２８６】
任意選択で、リソースセット#2が1つ以上のRB(又はRBグループ)を占有するとき、ネットワークデバイス#Aは、プリコーディング行列#Aに基づいて、RBグループ#A2内で搬送されるデータに対してプリコーディング処理を更に実行してもよく、RBグループ#A2は、リソースセット#2により占有されるRB(又はRBグループ)を含む。
【０２８７】
さらに、RBグループ#A2が参照信号(以下では理解及び説明を容易にするために、参照信号#A4として示される)を搬送するとき、ネットワークデバイス#Aは、プリコーディング行列#Aに基づいて、参照信号#A4に対してプリコーディング処理を更に実行してもよい。
【０２８８】
例えば、図６に示すように、シンボル#A上では、リソースセット#1(1〜6の番号のREを占有する)は、RBグループ#1及びRBグループ#2(具体的には、RBグループ#1及びRBグループ#2内のいくつかのRE)を占有する。したがって、ネットワークデバイス#Aは、プリコーディング行列#Aに基づいて、RBグループ#1及びRBグループ#2内で搬送される参照信号及びデータに対してプリコーディング処理を実行してもよい。
【０２８９】
他の例では、図６に示すように、シンボル#A上では、リソースセット#1は、RBグループ#3内の時間周波数リソースを占有せず、参照信号#Aに基づいて復調される必要があるデータ又は制御情報は、RBグループ#3内で搬送されない。したがって、ネットワークデバイス#Aは、プリコーディング行列#Aを使用することなく、RBグループ#3内で搬送される参照信号及びデータに対してプリコーディング処理を実行してもよい。
【０２９０】
更に他の例では、図６に示すように、シンボル#B上では、リソースセット#2(7〜12の番号のREを占有する)は、RBグループ#4及びRBグループ#5(具体的には、RBグループ#4及びRBグループ#5内のいくつかのRE)を占有し、言い換えると、RBグループ#4及びRBグループ#5は、参照信号#Aに基づいて復調される必要があるデータを搬送する。したがって、ネットワークデバイス#Aは、プリコーディング行列#Aに基づいて、RBグループ#4及びRBグループ#5内で搬送される参照信号及びデータに対してプリコーディング処理を実行してもよい。
【０２９１】
もう1つの他の例では、図６に示すように、シンボル#B上では、リソースセット#6は、RBグループ#3内の時間周波数リソースを占有せず、参照信号#Aに基づいて復調される必要があるデータ又は制御情報は、RBグループ#6内で搬送されない。したがって、ネットワークデバイス#Aは、プリコーディング行列#Aを使用することなく、RBグループ#6内で搬送される参照信号及びデータに対してプリコーディング処理を実行してもよい。
【０２９２】
言い換えると、この出願のこの実施形態では、ダウンリンク制御チャネルが同じREG又は連続するN個のREG内にある場合、ダウンリンク制御チャネル及びダウンリンク制御チャネルに関連するDMRSは、同じプリコーディング行列を使用する必要があり、Nはシステムにより予め設定された値でもよく、例えば、Nは1つのRBグループに含まれるREGの数でもよい。
【０２９３】
さらに、この出願のこの実施形態では、同じプリコーディング行列が、同じRB又は連続するM個のRB内のダウンリンクデータチャネル及びダウンリンクデータチャネルに関連するDMRSに使用される必要があり、Mはシステムにより予め設定された値でもよく、例えば、Mは1つのRBグループに含まれるRBの数でもよい。
【０２９４】
例えば、図６に示すように、同じプリコーディング行列が、リソースセット#1内の1つのリソースエレメントグループREGにおいて使用され、シンボル#Bでは、ダウンリンクデータチャネルがマッピングされるとき、1つのRBグループ内のダウンリンクデータチャネル及びダウンリンクデータチャネルに関連するDMRSは、同じプリコーディング行列を使用する。シンボル#B上のリソースエレメント5及び6と、リソースセット#1とは、周波数領域において同じ位置に位置するので、PRBグループ4内の全てのREは、REG内のダウンリンク制御チャネルで使用されるものと同じプリコーディング行列を使用する。同様に、PRBグループ5内の全てのREもまた、REG内のダウンリンク制御チャネルで使用されるものと同じプリコーディング行列を使用する。
【０２９５】
この出願のこの実施形態の理解を容易にするために、以下に、無線通信におけるプリコーディング処理プロセスについて簡単に説明する。ダウンリンク物理チャネル処理プロセスの処理対象は、コードワードであり、コードワードは、通常では、符号化(少なくともチャネル符号化を含む)ビットストリームである。コードワード(code  word)は、スクランブル化されたビットストリームを生成するようにスクランブル化(scrambling)される。スクランブル化されたビットストリームは、変調シンボルストリームを取得するために変調マッピング(modulation  mapping)を受ける。変調シンボルストリームは、レイヤマッピング(layer  mapping)を通じて複数のレイヤ(layer)にマッピングされる。区別及び説明を容易にするために、この出願のこの実施形態では、レイヤマッピング後に取得されたシンボルストリームは、レイヤマッピングされた空間レイヤと呼ばれてもよい(或いは、レイヤマッピングされた空間ストリーム又はレイヤマッピングされたシンボルストリームと呼ばれる)。レイヤマッピングされた空間レイヤは、複数のプリコーディングされたデータストリーム(又はプリコーディングされたシンボルストリームと呼ばれる)を取得するために、プリコーディング行列に基づいてプリコーディング(precoding)処理を受ける。プリコーディングされたシンボルストリームは、リソースエレメント(resource  element,  RE)マッピングを通じて複数のREにマッピングされる。次いで、これらのREは、OFDMシンボルストリームを生成するために、直交周波数分割多重(orthogonal  frequency  division  multiplexing,  OFDM)を通じて変調される。次いで、OFDMシンボルストリームはアンテナポート(antenna  port)を通じて送信される。
【０２９６】
この出願のこの実施形態における参照信号送信方法又は参照信号受信方法によれば、同じ参照信号を共有することにより復調されるデータ及び制御情報に対してプリコーディング処理を実行するために、同じプリコーディング行列が使用される。したがって、プリコーディング処理の複雑さ及びチャネル設計の複雑さが低減でき、それにより、ネットワークデバイスの処理負荷が低減でき、通信効率が改善できる。
【０２９７】
方式2:ダウンリンクデータ#A2は、参照信号#A’に基づいて復調される。
【０２９８】
ダウンリンクデータ#A2を搬送するリソース(すなわち、リソースセット#2)は、上記の方式1におけるものと同様のものでもよい。繰り返しを回避するために、その詳細な説明はここでは省略する。
【０２９９】
参照信号#A’を搬送するために使用される時間周波数リソースグループは、時間周波数リソースグループ#1’であると仮定する。
【０３００】
次いで、この出願のこの実施形態では、時間周波数リソースグループ#1’は、リソースセット#1に属してもよい。
【０３０１】
代替として、時間周波数リソースグループ#1’は、リソースセット#2に属してもよい。
【０３０２】
時間周波数リソースグループ#1’がリソースセット#2に属するとき、ダウンリンクデータ#A2及び参照信号#A’の送信モードは、従来技術のものと同様のものでもよい。繰り返しを回避するために、その詳細な説明はここでは省略する。
【０３０３】
以下に、主に、時間周波数リソースグループ#1’がリソースセット#1に属してもよい処理方式について詳細に説明する。
【０３０４】
この出願のこの実施形態では、参照信号#A’により使用されるプリコーディング行列は、参照信号#Aにより使用されるプリコーディング行列とは異なってもよい。この場合、通信の精度及び信頼性を確保するために、好ましくは、参照信号#A’及び参照信号#Aは、時間周波数リソースを多重化せず、言い換えると、時間周波数リソースグループ#1’は、時間周波数リソースグループ#1と交わらない。
【０３０５】
しかし、リソースセット内の参照信号の構成パターンが事前に指定されるので、リソースセット#1において時間周波数リソースグループ#1’及び時間周波数リソースグループ#1が重複する場合が存在し、言い換えると、時間周波数リソースグループ#1’は、時間周波数リソースグループ#1のものと同じ少なくとも1つの時間周波数リソースを含む。
【０３０６】
この場合、ダウンリンクデータ(例えば、ダウンリンクデータ#A2)を復調するために使用されるDMRSがマッピングされる必要がある時間周波数リソース、例えば、時間周波数リソースグループ#1’内の時間周波数リソースは、予め設定されたオフセットに基づいてオフセットされてもよく、ダウンリンクデータ(例えば、ダウンリンクデータ#A2)を復調するために使用されるDMRSは、オフセットの後に取得された時間周波数リソース上で送信される。
【０３０７】
オフセットは、時間領域におけるオフセット(例えば、1つ以上のシンボル)を含んでもよい。この場合、例えば、ダウンリンクデータを復調するために使用されるDMRSがマッピングされる必要がある時間周波数リソースをオフセットすることは、時間領域における時間周波数リソースをオフセット(1つ以上のシンボル)だけ後方にオフセットすることを含んでもよく、言い換えると、時間周波数リソースと時間領域におけるオフセットと一致する時間周波数リソースとの間の間隔に対応する時間周波数リソースは、ダウンリンクデータを送信するために使用される、DMRSの時間周波数リソースとして使用されてもよい。
【０３０８】
代替として、オフセットは、周波数領域におけるオフセット(例えば、1つ以上のRE)を含んでもよい。この場合、例えば、ダウンリンクデータを復調するために使用されるDMRSがマッピングされる必要がある時間周波数リソースをオフセットすることは、周波数領域における時間周波数リソースをオフセット(1つ以上のRE)だけ高周波数(又は低周波数)方向にオフセットすることを含んでもよく、言い換えると、時間周波数リソースと周波数領域におけるオフセットと一致する時間周波数リソースとの間の間隔に対応する時間周波数リソースは、ダウンリンクデータを送信するために使用される、DMRSの時間周波数リソースとして使用されてもよい。
【０３０９】
さらに、この出願のこの実施形態では、「時間周波数リソースグループ#1’内の時間周波数リソースをオフセットすること」は、時間周波数リソースグループ#1’内の各時間周波数リソースがオフセットされることを意味してもよい。
【０３１０】
代替として、この出願のこの実施形態では、「時間周波数リソースグループ#1’内の時間周波数リソースをオフセットすること」は、時間周波数リソースグループ#1と重複する時間周波数リソースグループ#1’内の時間周波数リソースがオフセットされることを意味してもよい。
【０３１１】
任意選択で、この出願のこの実施形態では、ネットワークデバイスは、ダウンリンクデータ#A2の送信モード(例えば、上記の方式1又は上記の方式2)のための指示情報を端末デバイスに送信してもよく、具体的には、指示情報は、ダウンリンクデータ#A2を復調するために使用される参照信号と、ダウンリンク制御情報#Aを復調するために使用される参照信号とが同じであるか否かを示すために使用されてもよい。
【０３１２】
このように、端末デバイスは、指示情報に基づいて、ダウンリンクデータ#A2を復調するために使用される参照信号を決定できる。
【０３１３】
この出願のこの実施形態では、予め設定されたオフセットは、通信システム又は通信プロトコルにおいて指定されてもよい。したがって、ネットワークデバイス及び端末デバイスは、通信システムの仕様又は通信プロトコルに基づいてオフセットを決定してもよく、ネットワークデバイスにより決定されたオフセットと端末デバイスにより決定されたオフセットとは、一致させることができる。
【０３１４】
代替として、この出願のこの実施形態では、オフセットは、ネットワークデバイスにより決定され、端末デバイスに通知されてもよい。
【０３１５】
ネットワークデバイスは、高レイヤシグナリング(SIB又はRRCシグナリング等)を使用することにより、予め設定されたオフセットを半静的に示してもよい。
【０３１６】
代替として、ネットワークデバイスは、物理レイヤシグナリング(例えば、ダウンリンク制御情報DCI)を使用することにより、予め設定されたオフセットを動的に示してもよい。任意選択で、この出願のこの実施形態では、時間周波数リソースグループ#1がリソースセット#1内のいくつかの時間周波数リソースグループであり、一般性を失うことなく、リソースセット#1内の時間周波数リソースグループ#1以外の1つ以上の時間周波数リソースグループが、時間周波数リソースグループ#4(第2の時間周波数リソースグループの例である)であるとき、ネットワークデバイス#Aは、時間周波数リソースグループ#4を使用することにより、ダウンリンクデータ#A4及び参照信号#A4(第2の復調参照信号の例である)を端末デバイス#Aに更に送信してもよい。ダウンリンクデータ#A4は、参照信号#A4に基づいて復調される。
【０３１７】
限定ではなく例として、図７に示すように、時間周波数リソースセット#1内の参照信号#A4により使用される構成情報は、時間周波数リソースセット#1内の参照信号#A1により使用される構成情報と同じでもよい。
【０３１８】
代替として、限定ではなく例として、図８に示すように、時間周波数リソースセット#1内の参照信号#A4により使用される構成情報は、時間周波数リソースセット#1内の参照信号#A1により使用される構成情報とは異なってもよい。
【０３１９】
具体的には、この出願のこの実施形態では、ネットワークデバイス#Aは、端末デバイス#Aについて、制御情報(例えば、制御情報#A)を送信するために使用されるリソースセット(すなわち、CORESET、例えば、リソースセット#1)を構成してもよく、ネットワークデバイス#Aは、構成情報#Aを端末デバイス#Aに送信してもよく、構成情報#Aは、時間領域においてリソースセット#1により占有されるリソース(例えば、シンボル)を示すために使用される情報#A_1を含んでもよく、構成情報#Aは、周波数領域においてリソースセット#1により占有されるリソース(例えば、サブキャリア)を示すために使用される情報#A_2を含んでもよい。構成情報#Aに含まれる上記の列挙された情報(言い換えると、示される内容)は、単なる説明のための例であることが理解されるべきである。この出願は、これらに限定されない。例えば、構成情報#Aは、リソースセット#1により占有されるRE、REG又はPRBを示すために更に使用されてもよい。
【０３２０】
さらに、限定ではなく例として、この出願のこの実施形態では、構成情報#Aは、構成情報#Aの指示情報を更に含んでもよい。
【０３２１】
さらに、この出願のこの実施形態では、ネットワークデバイス#Aがダウンリンク制御情報を具体的に送信する場合、リソースセット#1に残りのリソースが存在する場合が存在してもよく、それにより、ネットワークデバイス#Aは残りのリソースを使用することによりデータを送信してもよい。
【０３２２】
例えば、ネットワークデバイス#Aがリソースセット#1内の残りのリソース上でダウンリンクデータを送信するとき、データを復調するために使用されるDMRSの構成情報は、ダウンリンク制御情報を復調するために使用されるDMRSの構成情報と同じでもよい。
【０３２３】
代替として、ネットワークデバイス#Aがリソースセット#1内の残りのリソース上でダウンリンクデータを送信するとき、データを復調するために使用されるDMRSの構成情報は、ダウンリンク制御情報を復調するために使用されるDMRSの構成情報とは異なってもよい。
【０３２４】
さらに、限定ではなく例として、この出願のこの実施形態では、プリコーディング処理は、同じプリコーディング行列に基づいて、リソースセット#1内で搬送される参照信号、ダウンリンク制御情報及びデータに対して実行されてもよい。
【０３２５】
図７に示すように、リソースセット#1は、時間領域においてシンボル#αを占有し、ネットワークデバイス#Aにより端末デバイス#Aに送信されるデータ(例えば、制御情報#Aを使用することによりスケジューリングされたデータ)は、シンボル#βを占有する。リソースセット#1にデータを送信するための残りのリソースが存在するとき、リソースセット#1内で送信されるダウンリンクデータに関連するDMRSと、制御情報#Aに関連するDMRSとは、シンボル#α上で同じである(具体的には、参照信号の構成情報は同じである)。したがって、端末によりチャネル推定を実行する複雑さが低減できる。
【０３２６】
図８に示すように、シンボル#α上のリソースセット#1内で送信されるダウンリンクデータに関連するDMRSは、シンボル#β上で送信されるダウンリンクデータに関連するDMRSと同じである。したがって、DMRS密度が低減できる。
【０３２７】
任意選択で、ネットワークデバイス#Aは、指示情報#Aを端末デバイス#Aに更に送信してもよい。指示情報#Aは、ネットワークデバイス#Aがリソースセット#1内の残りのリソースを使用することによりデータを送信するときに、データに関連するDMRSの構成情報を示し、言い換えると、指示情報#Aは、データに関連するDMRSが制御情報に関連するDMRSであるか、シンボル#β上のデータチャネルに関連するDMRSであるかを示す。
【０３２８】
したがって、DMRSの構成情報が柔軟に使用できる。例えば、リソースセット#1に比較的少数の残りのリソースが存在する場合、データに関連し且つ残りのリソース上で搬送されるDMRSは、制御情報に関連するDMRSの構成情報を使用できる。代替として、リソースセット#1に比較的多数の残りのリソースが存在する場合、データに関連し且つ残りのリソース上で搬送されるDMRSは、データに関連し且つシンボル#β上で搬送されるDMRSの構成情報を使用できる。
【０３２９】
さらに、この出願のこの実施形態では、制御情報に関連するDMRSは、制御情報に関連するDMRSが制御情報を復調するために使用されることを意味してもよい。
【０３３０】
同様に、データに関連するDMRSは、データに関連するDMRSがデータを復調するために使用されることを意味してもよい。
【０３３１】
参照信号#A4はまた、複数のタイプの構成情報に対応してもよく、参照信号#A4の複数のタイプの構成情報の設定方式及び使用方式は、上記の参照信号#A4のものと同様でもよい点に留意すべきである。繰り返しを回避するために、その詳細な説明はここでは省略する。さらに、リソースセット#1内の参照信号#A4により使用される構成情報は、構成情報#Aでもよく、或いは、リソースセット#1内の参照信号#A4により使用される構成情報は、参照信号#A4に対応する複数のタイプの構成情報のうちネットワークデバイスにより決定され且つ構成情報#Aとは異なる構成情報でもよい。
【０３３２】
この出願のこの実施形態における参照信号送信及び受信方法によれば、制御情報及びダウンリンクデータは、同じリソースセットを使用することにより送信され、これは、リソース利用効率を改善し、通信効率を更に改善できる。
【０３３３】
以下では、図９を参照して、ネットワークデバイス#B(ネットワークデバイスの他の例である)と端末デバイス#B(端末デバイスの他の例である)との間で参照信号#B(第1の復調参照信号の例である)を送信するプロセスが、この出願の実施形態における参照信号送信及び受信方法300を詳細に説明するための例として使用される。図９は、この出願の実施形態による参照信号送信及び受信方法300の概略相互作用図である。方法300に適用可能な通信システム(例えば、通信システム100)における少なくとも2つのタイプの参照信号が存在してもよい。
【０３３４】
限定ではなく例として、この出願のこの実施形態では、参照信号は、チャネルサウンディングに使用されてもよく、復調に更に使用される。例えば、この出願のこの実施形態における参照信号は、DMRSを含んでもよい。
【０３３５】
少なくとも2つのタイプの参照信号は、制御情報(言い換えると、制御チャネル)を復調するために使用される参照信号(すなわち、参照信号#1)を含む。さらに、限定ではなく例として、制御情報は、ダウンリンク制御情報を含んでもよく、制御チャネルは、物理ダウンリンク制御チャネルを含んでもよい。
【０３３６】
さらに、少なくとも2つのタイプの参照信号は、データ(言い換えると、データチャネル)を復調するために使用される参照信号(すなわち、参照信号#2)を含む。さらに、限定ではなく例として、データは、ダウンリンクデータを含んでもよく、データチャネルは、物理ダウンリンクデータチャネルを含んでもよい。
【０３３７】
この出願のこの実施形態では、参照信号#1の構成情報及び参照信号#2の構成情報は異なる。
【０３３８】
この出願のこの実施形態では、参照信号#1は1つのタイプの構成情報を有してもよく、参照信号#1は1つのタイプの構成情報を有してもよい。
【０３３９】
さらに、各タイプの参照信号が1つのタイプの構成情報のみに対応することを除いて、方法300における参照信号の構成情報の定義及び関連する説明は、上記の方法200における「構成情報」についての説明と同様でもよい。例えば、方法300における構成情報に含まれるパラメータは、方法200に記載の構成情報に含まれるパラメータと同様でもよい。繰り返しを回避するために、その詳細な説明はここでは省略する。
【０３４０】
ここで、参照信号#1の構成情報及び参照信号#2の構成情報が異なることは、参照信号#1の構成情報が少なくとも1つのタイプのパラメータに関して参照信号#2の構成情報とは異なることを意味してもよい。
【０３４１】
S310において、ネットワークデバイス#Bは、リソースセット#A(第1のリソースセットの例である)を使用することにより、参照信号#Bを端末デバイス#Bに送信してもよく、ネットワークデバイス#Bは、参照信号#Bを使用することにより復調される必要があるダウンリンク制御情報#B(第1のダウンリンク制御情報の例である)を端末デバイス#Bに送信してもよい。リソースセット#Aの構造及び決定方法は、上記の方法200におけるリソースセット#1の構造及び決定方法と同様でもよい。繰り返しを回避するために、その詳細な説明はここでは省略する。
【０３４２】
さらに、S320において、ネットワークデバイス#Bは、リソースセット#Bを使用することにより、ダウンリンクデータ#B(第2のダウンリンクデータの例である)を端末デバイス#Bに送信してもよく、ダウンリンクデータ#Bは、参照信号#Bに基づいて復調される。リソースセット#Bの構造及び決定方法は、上記の方法200におけるリソースセット#2の構造及び決定方法と同様でもよい。繰り返しを回避するために、その詳細な説明はここでは省略する。
【０３４３】
さらに、この出願のこの実施形態では、リソースセット#Bとリソースセット#Aとの間で、(周波数領域又は時間領域において)予め設定された位置関係が満たされる必要がある。ここでのリソースセット#Bとリソースセット#Aとの間で満たされる必要がある位置関係は、リソースセット#2とリソースセット#1との間で満たされる必要がある上記の位置関係と同様でもよい。繰り返しを回避するために、その詳細な説明はここでは省略する。
【０３４４】
任意選択で、参照信号#B及びダウンリンク制御情報#Bは、リソースセット#A内の時間周波数リソースグループ#A内で搬送され、ダウンリンクデータ#Bは、リソースセット#B内の時間周波数リソースグループ#B内で搬送されると仮定する。時間周波数リソースグループ#Aと時間周波数リソースグループ#Bとの間で、(周波数領域又は時間領域において)予め設定された位置関係が満たされる必要がある。ここでの時間周波数グループ#Aと時間周波数グループ#Bとの間で満たされる必要がある位置関係は、時間周波数グループ#1と時間周波数グループ#3との間で満たされる必要がある上記の位置関係と同様でもよい。繰り返しを回避するために、その詳細な説明はここでは省略する。
【０３４５】
任意選択で、この出願のこの実施形態では、ネットワークデバイス#Bは、プリコーディング行列#B(第1のプリコーディング行列の他の例である)に基づいて、参照信号#B及びダウンリンク制御情報#Bに対してプリコーディング処理を実行してもよい。
【０３４６】
さらに、ネットワークデバイス#Aは、プリコーディング行列#Bに基づいて、ダウンリンクデータ#Bを搬送するために使用されるリソースセット(すなわち、リソースセット#B)内で搬送されるデータに対してプリコーディング処理を更に実行してもよい。
【０３４７】
さらに、リソースセット#Bが参照信号を搬送するとき、ネットワークデバイス#Bは、プリコーディング行列#Bに基づいて、参照信号に対してプリコーディング処理を更に実行してもよい。
【０３４８】
任意選択で、リソースセット#A(又はリソースセット#B)が1つ以上のRB(又はRBグループ)を占有するとき、ネットワークデバイス#Bは、プリコーディング行列#Bに基づいて、RB(又はRBグループ)内で搬送されるデータに対してプリコーディング処理を更に実行してもよい。
【０３４９】
さらに、RB(又はRBグループ)が参照信号を搬送するとき、ネットワークデバイス#Bは、プリコーディング行列#Bに基づいて、参照信号に対してプリコーディング処理を更に実行してもよい。
【０３５０】
この出願のこの実施形態における参照信号送信方法又は参照信号受信方法によれば、同じ参照信号を共有することにより復調されるデータ及び制御情報に対してプリコーディング処理を実行するために、同じプリコーディング行列が使用される。したがって、プリコーディング処理の複雑さ及びチャネル設計の複雑さが低減でき、それにより、ネットワークデバイスの処理負荷が低減でき、通信効率が改善できる。
【０３５１】
任意選択で、この出願のこの実施形態では、参照信号#B及びダウンリンク制御情報#Bは、1つ以上の時間周波数リソースグループ#Aを使用することにより送信されてもよい。さらに、時間周波数リソースグループ#Aがリソースセット#A内のいくつかの時間周波数リソースグループであり、一般性を失うことなく、リソースセット#A内の時間周波数リソースグループ#A以外の1つ以上の時間周波数リソースグループが、時間周波数リソースグループ#B(第2の時間周波数リソースグループの例である)であるとき、ネットワークデバイス#Aは、時間周波数リソースグループ#Bを使用することにより、ダウンリンクデータ#C及び参照信号#C(第2の復調参照信号の例である)を端末デバイス#Bに更に送信してもよい。ダウンリンクデータ#Cは、参照信号#Cに基づいて復調される。
【０３５２】
参照信号#Cの構成情報は、参照信号#Bの構成情報と同じでもよい。
【０３５３】
代替として、参照信号#Cの構成情報は、参照信号#Bの構成情報とは異なってもよい。
【０３５４】
ここで、参照信号#Cと参照信号#Bとの双方が1つのタイプの構成情報にのみ対応してもよいことを除いて、参照信号#Cと参照信号#Bとの間の関係は、上記の方法200に記載の参照信号#A4と参照信号#A1との間の関係と同様でもよい。繰り返しを回避するために、その詳細な説明はここでは省略する。
【０３５５】
方法300において、ネットワークデバイスが構成情報を決定して構成情報の第1の指示情報を端末デバイスに配信する必要がないことを除いて、他のプロセスは、上記の方法200に記載のプロセスと同様でもよい。繰り返しを回避するために、その詳細な説明はここでは省略する。
【０３５６】
この出願のこの実施形態における参照信号送信方法及び受信方法によれば、制御情報及びダウンリンクデータは、同じリソースセットを使用することにより送信され、これは、リソース利用効率を改善し、通信効率を更に改善できる。
【０３５７】
以下では、図１０を参照して、ネットワークデバイス#C(ネットワークデバイスの他の例である)と端末デバイス#C(端末デバイスの他の例である)との間で参照信号#α(第1の復調参照信号の例である)を送信するプロセスが、この出願の実施形態における参照信号送信及び受信方法400を詳細に説明するための例として使用される。図１０は、この出願の実施形態による参照信号送信及び受信方法400の概略相互作用図である。方法400に適用可能な通信システム(例えば、通信システム100)における少なくとも2つのタイプの参照信号が存在してもよい。
【０３５８】
限定ではなく例として、この出願のこの実施形態では、参照信号は、チャネルサウンディングに使用されてもよく、復調に更に使用される。例えば、この出願のこの実施形態における参照信号は、DMRSを含んでもよい。
【０３５９】
少なくとも2つのタイプの参照信号は、制御情報(言い換えると、制御チャネル)を復調するために使用される参照信号(すなわち、参照信号#1)を含む。さらに、限定ではなく例として、制御情報は、ダウンリンク制御情報を含んでもよく、制御チャネルは、物理ダウンリンク制御チャネルを含んでもよい。
【０３６０】
さらに、少なくとも2つのタイプの参照信号は、データ(言い換えると、データチャネル)を復調するために使用される参照信号(すなわち、参照信号#2)を含む。さらに、限定ではなく例として、データは、ダウンリンクデータを含んでもよく、データチャネルは、物理ダウンリンクデータチャネルを含んでもよい。
【０３６１】
この出願のこの実施形態では、参照信号#1の構成情報及び参照信号#2の構成情報は異なる。
【０３６２】
この出願のこの実施形態では、参照信号#1は1つのタイプの構成情報を有してもよく、参照信号#1は1つのタイプの構成情報を有してもよい。
【０３６３】
さらに、各タイプの参照信号が1つのタイプの構成情報のみに対応することを除いて、方法400における参照信号の構成情報の定義及び関連する説明は、上記の方法200における「構成情報」についての説明と同様でもよい。例えば、方法400における構成情報に含まれるパラメータは、方法200に記載の構成情報に含まれるパラメータと同様でもよい。繰り返しを回避するために、その詳細な説明はここでは省略する。
【０３６４】
ここで、参照信号#1の構成情報及び参照信号#2の構成情報が異なることは、参照信号#1の構成情報が少なくとも1つのタイプのパラメータに関して参照信号#2の構成情報とは異なることを意味してもよい。
【０３６５】
S410において、ネットワークデバイス#Cは、リソースセット#α(第1のリソースセットの例である)を使用することにより、参照信号#αを端末デバイス#Cに送信してもよく、ネットワークデバイス#Cは、参照信号#αを使用することにより復調される必要があるダウンリンク制御情報#α(第1のダウンリンク制御情報の例である)を端末デバイス#Cに送信してもよい。リソースセット#αの構造及び決定方法は、上記の方法200におけるリソースセット#1の構造及び決定方法と同様でもよい。繰り返しを回避するために、その詳細な説明はここでは省略する。
【０３６６】
任意選択で、この出願のこの実施形態では、参照信号#α及びダウンリンク制御情報#αは、1つ以上の時間周波数リソースグループ#αを使用することにより送信されてもよい。さらに、時間周波数リソースグループ#αがリソースセット#α内のいくつかの時間周波数リソースグループであるとき、一般性を失うことなく、リソースセット#α内の時間周波数リソースグループ#α以外の1つ以上の時間周波数リソースグループが、時間周波数リソースグループ#β(第2の時間周波数リソースグループの例である)であると仮定し、ネットワークデバイス#Cは、時間周波数リソースグループ#βを使用することにより、ダウンリンクデータ#β及び参照信号#β(第2の復調参照信号の例である)を端末デバイス#Cに更に送信してもよい。ダウンリンクデータ#βは、参照信号#βに基づいて復調される。
【０３６７】
参照信号#βの構成情報は、参照信号#αの構成情報と同じでもよい。
【０３６８】
代替として、参照信号#βの構成情報は、参照信号#αの構成情報とは異なってもよい。
【０３６９】
ここで、参照信号#αと参照信号#βとの双方が1つのタイプの構成情報にのみ対応してもよいことを除いて、参照信号#αと参照信号#βとの間の関係は、上記の方法200に記載の参照信号#A4と参照信号#A1との間の関係と同様でもよい。繰り返しを回避するために、その詳細な説明はここでは省略する。
【０３７０】
方法400において、ネットワークデバイスが構成情報を決定して構成情報の第1の指示情報を端末デバイスに配信する必要がないことを除いて、他のプロセスは、上記の方法200に記載のプロセスと同様でもよい。繰り返しを回避するために、その詳細な説明はここでは省略する。
【０３７１】
この出願のこの実施形態における参照信号送信方法及び受信方法によれば、制御情報及びダウンリンクデータは、同じリソースセットを使用することにより送信され、これは、リソース利用効率を改善し、通信効率を更に改善できる。
【０３７２】
以下では、図１１を参照して、ネットワークデバイス#D(ネットワークデバイスの他の例である)と端末デバイス#D(端末デバイスの他の例である)との間で参照信号#D(第1の復調参照信号の例である)を送信するプロセスが、この出願の実施形態における参照信号送信及び受信方法700を詳細に説明するための例として使用される。図１１は、この出願の実施形態による参照信号送信及び受信方法700の概略相互作用図である。方法700に適用可能な通信システム(例えば、通信システム100)における少なくとも2つのタイプの参照信号が存在してもよい。
【０３７３】
限定ではなく例として、この出願のこの実施形態では、参照信号は、チャネルサウンディングに使用されてもよく、復調に更に使用される。例えば、この出願のこの実施形態における参照信号は、DMRSを含んでもよい。
【０３７４】
少なくとも2つのタイプの参照信号は、制御情報(言い換えると、制御チャネル)を復調するために使用される参照信号(すなわち、参照信号#1)を含む。さらに、限定ではなく例として、制御情報は、ダウンリンク制御情報を含んでもよく、制御チャネルは、物理ダウンリンク制御チャネルを含んでもよい。
【０３７５】
さらに、少なくとも2つのタイプの参照信号は、データ(言い換えると、データチャネル)を復調するために使用される参照信号(すなわち、参照信号#2)を含む。さらに、限定ではなく例として、データは、ダウンリンクデータを含んでもよく、データチャネルは、物理ダウンリンクデータチャネルを含んでもよい。
【０３７６】
この出願のこの実施形態では、参照信号#1の構成情報及び参照信号#2の構成情報は異なる。
【０３７７】
この出願のこの実施形態では、参照信号#1は1つのタイプの構成情報を有してもよく、参照信号#1は1つのタイプの構成情報を有してもよい。
【０３７８】
さらに、各タイプの参照信号が1つのタイプの構成情報のみに対応することを除いて、方法700における参照信号の構成情報の定義及び関連する説明は、上記の方法200における「構成情報」についての説明と同様でもよい。例えば、方法700における構成情報に含まれるパラメータは、方法200に記載の構成情報に含まれるパラメータと同様でもよい。繰り返しを回避するために、その詳細な説明はここでは省略する。
【０３７９】
ここで、参照信号#1の構成情報及び参照信号#2の構成情報が異なることは、参照信号#1の構成情報が少なくとも1つのタイプのパラメータに関して参照信号#2の構成情報とは異なることを意味してもよい。
【０３８０】
対応して、この出願のこの実施形態では、ダウンリンク情報#Eは、ダウンリンク制御情報又はダウンリンクデータでもよい。
【０３８１】
S710において、ネットワークデバイス#Dは、リソースセット#Dを決定してもよい。
【０３８２】
リソースセット#Dは、時間周波数リソースグループ#D及び時間周波数リソースグループ#Eを含んでもよく、時間周波数リソースグループ#Dは予約されたリソースであり、時間周波数リソースグループ#Eは、予め構成された構成パターンに基づいて決定されたリソースセット#D内にあり且つ参照信号#Eを搬送するために使用される時間周波数リソースであり、参照信号#Eは、ダウンリンク情報#Eを復調するために使用される。
【０３８３】
予約された時間周波数リソースは、端末デバイスにより、参照信号を搬送しないリソースとして決定された時間周波数リソースでもよい。
【０３８４】
任意選択で、この出願のこの実施形態では、ネットワークデバイス#Dは、指示情報Yを端末デバイス#Dに送信してもよく、指示情報Yは、時間周波数リソースグループ#D内の時間周波数リソースが予約された時間周波数リソースであることを示す。
【０３８５】
したがって、端末デバイスは、時間周波数リソースグループ#D及び時間周波数リソースグループ#Eが重複するか否かを決定するために、指示情報Yに基づいて、時間周波数リソースグループ#D内の時間周波数リソースが予約された時間周波数リソースであると決定してもよい。
【０３８６】
リソースセット#Dの構造及び決定方法は、上記の方法200におけるリソースセット#1の構造及び決定方法と同様でもよい。繰り返しを回避するために、その詳細な説明はここでは省略する。
【０３８７】
時間周波数リソースグループ#Dは予約されたリソースであるので、時間周波数リソースグループ#D及び時間周波数リソースグループ#Eの交わり集合は、好ましくは空である。
【０３８８】
しかし、参照信号の構成パターンは事前に指定されるので、リソースセット#D内の時間周波数リソースグループ#E及び時間周波数リソースグループ#Dが重複する場合が存在する。
【０３８９】
この場合、ネットワークデバイス#Dは、予め設定されたオフセットに基づいて、時間周波数リソースグループ#E内の時間周波数リソースをオフセットしてもよい。
【０３９０】
S720において、ネットワークデバイス#Dは、オフセットの後に取得された時間周波数リソース(以下では理解及び区別を容易にするために、時間周波数リソースグループ#Fとして示される)上で参照信号#Eを送信してもよい。
【０３９１】
オフセットは、時間領域におけるオフセット(例えば、1つ以上のシンボル)を含んでもよい。この場合、「時間周波数リソースグループ#E内の時間周波数リソースをオフセットすること」は、時間領域における時間周波数リソースをオフセット(1つ以上のシンボル)だけ後方にオフセットすることを含んでもよく、言い換えると、時間周波数リソースと時間領域におけるオフセットに対応する時間周波数リソースとの間の間隔に対応する時間周波数リソースは、時間周波数リソースグループ#Fとして使用されてもよい。
【０３９２】
代替として、オフセットは、周波数領域におけるオフセット(例えば、1つ以上のRE)を含んでもよい。この場合、「時間周波数リソースグループ#E内の時間周波数リソースをオフセットすること」は、周波数領域における時間周波数リソースをオフセット(1つ以上のRE)だけ高周波数(又は低周波数)方向にオフセットすることを含んでもよく、言い換えると、時間周波数リソースと周波数領域におけるオフセットに対応する時間周波数リソースとの間の間隔に対応する時間周波数リソースは、時間周波数リソースグループ#Fとして使用されてもよい。
【０３９３】
さらに、この出願のこの実施形態では、「時間周波数リソースグループ#E内の時間周波数リソースをオフセットすること」は、時間周波数リソースグループ#E内の各時間周波数リソースがオフセットされることを意味してもよい。言い換えると、この場合、時間周波数リソースグループ#F内の各時間周波数リソースは、時間周波数リソースグループ#E内の時間周波数リソースがオフセットされた後に取得される。
【０３９４】
代替として、この出願のこの実施形態では、「時間周波数リソースグループ#E内の時間周波数リソースをオフセットすること」は、時間周波数リソースグループ#Dと重複する時間周波数リソースグループ#E内の時間周波数リソースのみがオフセットされることを意味してもよい。言い換えると、この場合、時間周波数リソースグループ#F内の時間周波数リソースは、時間周波数リソースグループ#E内にあり且つ時間周波数リソースグループ#Dと重複しない時間周波数リソースを含み、時間周波数リソースグループ#F内の時間周波数リソースは、時間周波数リソースグループ#Dと重複する時間周波数リソースグループ#E内の時間周波数リソースがオフセットされた後に取得された時間周波数リソースを含む。
【０３９５】
この出願のこの実施形態では、予め設定されたオフセットは、通信システム又は通信プロトコルにおいて指定されてもよい。したがって、ネットワークデバイス#D及び端末デバイス#Dは、通信システムの仕様又は通信プロトコルに基づいてオフセットを決定してもよく、ネットワークデバイス#Dにより決定されたオフセットと端末デバイス#Dにより決定されたオフセットとは、一致させることができる。代替として、この出願のこの実施形態では、オフセットは、ネットワークデバイス#Dにより決定され、端末デバイス#Dに通知されてもよい。
【０３９６】
ネットワークデバイスは、高レイヤシグナリング(SIB又はRRCシグナリング等)を使用することにより、予め設定されたオフセットを半静的に示してもよい。
【０３９７】
代替として、ネットワークデバイスは、物理レイヤシグナリング(例えば、ダウンリンク制御情報DCI)を使用することにより、予め設定されたオフセットを動的に示してもよい。
【０３９８】
さらに、端末デバイス#Dがリソースセット#D、リソースセット#E及び時間周波数リソースグループ#Fを決定する方法及びプロセスは、ネットワークデバイス#Dの処理と同様でもよい。繰り返しを回避するために、その詳細な説明はここでは省略する。
【０３９９】
図１２は、この出願の実施形態による参照信号送信装置500の概略ブロック図である。参照信号送信装置500は、方法200、300、400又は700に記載のネットワークデバイスに対応してもよい(例えば、ネットワークデバイス内に構成されてもよく、或いは、ネットワークデバイスでもよい)。さらに、参照信号送信装置500内のモジュール又はユニットは、方法200、300、400又は700においてネットワークデバイスにより実行されるアクション又は処理プロセスを実行するようにそれぞれ構成される。繰り返しを回避するために、その詳細な説明はここでは省略する。
【０４００】
この出願のこの実施形態では、装置500はネットワークデバイスでもよい。この場合、装置500は、プロセッサ及びトランシーバを含んでもよい。プロセッサ及びトランシーバは通信可能に接続される。任意選択で、装置は、メモリを更に含み、メモリは、プロセッサに通信可能に接続される。任意選択で、プロセッサ、メモリ及びトランシーバは、通信可能に接続されてもよく、メモリは、命令を記憶するように構成されてもよく、プロセッサは、メモリに記憶された命令を実行し、情報又は信号を送信するようトランシーバを制御するように構成される。
【０４０１】
この場合、図１２に示す装置500内のトランシーバユニットは、トランシーバに対応してもよく、図１２に示す装置500内の処理ユニットは、プロセッサに対応してもよい。
【０４０２】
この出願のこの実施形態では、装置500は、ネットワークデバイス内に設置されたチップ(又はチップシステム)でもよい。この場合、装置500は、プロセッサ及び入力/出力インタフェースを含んでもよい。プロセッサは、入力/出力インタフェースを通じてネットワークデバイスのトランシーバに通信可能に接続されてもよい。任意選択で、装置は、メモリを更に含み、メモリは、プロセッサに通信可能に接続される。任意選択で、プロセッサ、メモリ及びトランシーバは、通信可能に接続されてもよく、メモリは、命令を記憶するように構成されてもよく、プロセッサは、メモリに記憶された命令を実行し、情報又は信号を送信するようトランシーバを制御するように構成される。
【０４０３】
この場合、図１２に示す装置500内のトランシーバユニットは、入力/出力インタフェースに対応してもよく、図１２に示す装置500内の処理ユニットは、プロセッサに対応してもよい。
【０４０４】
図１３は、この出願の実施形態による参照信号受信装置600の概略ブロック図である。参照信号受信装置600は、方法200、300、400又は700に記載の端末デバイスに対応してもよい(例えば、端末デバイスを実現するように構成されてもよい)。さらに、参照信号受信装置600内のモジュール又はユニットは、方法200、300、400又は700において端末デバイスにより実行されるアクション又は処理プロセスを実行するようにそれぞれ構成される。繰り返しを回避するために、その詳細な説明はここでは省略する。
【０４０５】
この出願のこの実施形態では、装置600は端末デバイスでもよい。この場合、装置600は、プロセッサ及びトランシーバを含んでもよい。プロセッサ及びトランシーバは通信可能に接続される。任意選択で、装置は、メモリを更に含み、メモリは、プロセッサに通信可能に接続される。任意選択で、プロセッサ、メモリ及びトランシーバは、通信可能に接続されてもよく、メモリは、命令を記憶するように構成されてもよく、プロセッサは、メモリに記憶された命令を実行し、情報又は信号を送信するようトランシーバを制御するように構成される。
【０４０６】
この場合、図１３に示す装置600内のトランシーバユニットは、トランシーバに対応してもよく、図１３に示す装置600内の処理ユニットは、プロセッサに対応してもよい。
【０４０７】
この出願のこの実施形態では、装置600は、端末デバイス内に設置されたチップ(又はチップシステム)でもよい。この場合、装置600は、プロセッサ及び入力/出力インタフェースを含んでもよい。プロセッサは、入力/出力インタフェースを通じて端末デバイスのトランシーバに通信可能に接続されてもよい。任意選択で、装置は、メモリを更に含み、メモリは、プロセッサに通信可能に接続される。任意選択で、プロセッサ、メモリ及びトランシーバは、通信可能に接続されてもよく、メモリは、命令を記憶するように構成されてもよく、プロセッサは、メモリに記憶された命令を実行し、情報又は信号を送信するようトランシーバを制御するように構成される。
【０４０８】
この場合、図１３に示す装置600内のトランシーバユニットは、入力/出力インタフェースに対応してもよく、図１２に示す装置600内の処理ユニットは、プロセッサに対応してもよい。
【０４０９】
当業者は、この明細書に開示された実施形態に記載の例と組み合わせて、ユニット及びアルゴリズムステップが電子ハードウェア又はコンピュータソフトウェアと電子ハードウェアとの組み合わせにより実現されてもよいことを認識し得る。機能がハードウェアにより実行されるかソフトウェアにより実行されるかは、技術的解決策の特定の用途及び設計上の制約に依存する。当業者は、特定の用途毎に記載の機能を実現するために異なる方法を使用し得るが、実現方式がこの出願の範囲を超えるものと考えられるべきではない。
【０４１０】
便宜上且つ簡単な説明の目的で、上記のシステム、装置及びユニットの詳細な動作プロセスについては、上記の方法の実施形態における対応するプロセスを参照することが当業者により明確に理解され得る。詳細は、ここでは再び説明しない。
【０４１１】
この出願において提供されるいくつかの実施形態では、開示のシステム、装置及び方法は、他の方式で実現されてもよいことが理解されるべきである。例えば、記載の装置の実施形態は、単なる例である。例えば、ユニット分割は、単なる論理的な機能分割であり、実際の実現方式では他の分割でもよい。例えば、複数のユニット又はコンポーネントは、他のシステムに結合又は統合されてもよく、或いは、いくつかの特徴は無視されてもよく或いは実行されなくてもよい。さらに、表示又は議論された相互結合又は直接結合又は通信接続は、いくつかのインタフェースを使用することにより実現されてもよい。装置又はユニットの間の間接結合又は通信接続は、電子的、機械的又は他の形式で実現されてもよい。
【０４１２】
別個の部分として記載されるユニットは、物理的に分離されてもよく或いは分離されていなくてもよく、ユニットとして表示される部分は、物理的なユニットでもよく或いは物理的なユニットでなくてもよく、1つの場所に位置してもよく、或いは、複数のネットワークユニットに分散されてもよい。ユニットの一部又は全部は、実施形態の解決策の目的を達成するために、実際の要件に基づいて選択されてもよい。
【０４１３】
さらに、この出願の実施形態における機能ユニットは、1つの処理ユニットに統合されてもよく、或いは、ユニットのそれぞれは物理的に単独で存在してもよく、或いは、2つ以上のユニットは1つのユニットに統合されてもよい。
【０４１４】
機能がソフトウェア機能ユニットの形式で実現され、独立した製品として販売又は使用されるとき、当該機能は、コンピュータ読取可能記憶媒体に記憶されてもよい。このような理解に基づいて、この出願の技術的解決策は本質的に、或いは、従来技術に寄与する部分又は技術的解決策のいくつかは、ソフトウェア製品の形式で実現されてもよい。コンピュータソフトウェア製品は、記憶媒体に記憶され、コンピュータデバイス(パーソナルコンピュータ、サーバ又はネットワークデバイスでもよい)に対して、この出願の実施形態に記載の方法のステップの全部又は一部を実行するように命令するためのいくつかの命令を含む。上記の記憶媒体は、USBフラッシュドライブ、取り外し可能ハードディスク、読取専用メモリ(Read-Only  Memory,  ROM)、ランダムアクセスメモリ(Random  Access  Memory,  RAM)、磁気ディスク又は光ディスクのような、プログラムコードを記憶できるいずれかの媒体を含む。
【０４１５】
上記の説明は、この出願の単なる具体的な実現方式であり、この出願の保護範囲を限定することを意図するものではない。この出願に開示された技術的範囲内で、当業者により容易に理解されるいずれかの変更又は置換は、この出願の保護範囲に入るものとする。したがって、この出願の保護範囲は、特許請求の範囲の保護範囲に従うものとする。
【図１】
2020523894.tif 000011
【図２】
2020523894.tif 000012
【図３】
2020523894.tif 000013
【図４】
2020523894.tif 000014
【図５】
2020523894.tif 000015
【図６】
2020523894.tif 000016
【図７】
2020523894.tif 000017
【図８】
2020523894.tif 000018
【図９】
2020523894.tif 000019
【図１０】
2020523894.tif 000020
【図１１】
2020523894.tif 000021
【図１２】
2020523894.tif 000022
【図１３】
2020523894.tif 000023
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
参照信号送信方法であって、
リソースセットを決定するステップであり、前記リソースセットは、復調参照信号及びダウンリンクデータを搬送するために使用され、前記復調参照信号は、前記ダウンリンクデータを復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用される、ステップと、
前記第1の時間周波数リソースグループ及び前記第2の時間周波数リソースグループが重複するとき、前記第2の時間周波数リソースグループの位置及びオフセットに基づいて、第3の時間周波数リソースグループを決定するステップであり、前記オフセットは、予め設定されたルールに従って決定される、ステップと、
前記第3の時間周波数リソースグループを使用することにより、前記復調参照信号を送信するステップと
を含む方法。
【請求項２】
前記第2の時間周波数リソースグループの位置及びオフセットに基づいて、第3の時間周波数リソースグループを決定する前に、当該方法は、
指示情報を端末デバイスに送信するステップであり、前記指示情報は、前記第1の時間周波数リソースグループが予約された時間周波数リソースであることを示す、ステップを更に含む、請求項１に記載の方法。
【請求項３】
前記第1の時間周波数リソースグループ及び前記第2の時間周波数リソースグループが重複するとき、前記第2の時間周波数リソースグループの位置及びオフセットに基づいて、第3の時間周波数リソースグループを決定するステップは、
前記第1の時間周波数リソースグループが前記第2の時間周波数リソースグループのものと同じ少なくとも1つのリソースエレメント(RE)を含むとき、前記第2の時間周波数リソースグループの前記位置及び前記オフセットに基づいて、前記第3の時間周波数リソースグループを決定するステップを含む、請求項１又は２に記載の方法。
【請求項４】
前記オフセットは、N個の時間単位を含み、Nは正の整数であり、Nは通信プロトコルにおいて指定されるか、或いは、Nはネットワークデバイスにより決定されて端末デバイスに通知される、請求項１乃至３のうちいずれか１項に記載の方法。
【請求項５】
前記第2の時間周波数リソースグループの位置及びオフセットに基づいて、第3の時間周波数リソースグループを決定するステップは、
前記第3の時間周波数リソースグループを決定するステップであり、前記第3の時間周波数リソースグループ内の各REは、前記第2の時間周波数リソースグループ内のREを前記オフセットでオフセットすることにより取得される、ステップを含む、請求項１乃至４のうちいずれか１項に記載の方法。
【請求項６】
前記第1の時間周波数リソースグループ及び前記第3の時間周波数リソースグループは、時間領域において異なるシンボルを占有する、請求項１乃至５のうちいずれか１項に記載の方法。
【請求項７】
参照信号受信方法であって、
リソースセットを決定するステップであり、前記リソースセットは、復調参照信号及びダウンリンクデータを搬送するために使用され、前記復調参照信号は、前記ダウンリンクデータを復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用される、ステップと、
前記第1の時間周波数リソースグループ及び前記第2の時間周波数リソースグループが重複するとき、前記第2の時間周波数リソースグループの位置及びオフセットに基づいて、第3の時間周波数リソースグループを決定するステップであり、前記オフセットは、予め設定されたルールに従って決定される、ステップと、
前記第3の時間周波数リソースグループを使用することにより、前記復調参照信号を受信するステップと
を含む方法。
【請求項８】
前記第2の時間周波数リソースグループの位置及びオフセットに基づいて、第3の時間周波数リソースグループを決定する前に、当該方法は、
ネットワークデバイスにより送信された指示情報を受信するステップであり、前記指示情報は、前記第1の時間周波数リソースグループが予約された時間周波数リソースであることを示す、ステップを更に含む、請求項７に記載の方法。
【請求項９】
前記第1の時間周波数リソースグループ及び前記第2の時間周波数リソースグループが重複するとき、前記第2の時間周波数リソースグループの位置及びオフセットに基づいて、第3の時間周波数リソースグループを決定するステップは、
前記第1の時間周波数リソースグループが前記第2の時間周波数リソースグループのものと同じ少なくとも1つのリソースエレメント(RE)を含むとき、前記第2の時間周波数リソースグループの前記位置及び前記オフセットに基づいて、前記第3の時間周波数リソースグループを決定するステップを含む、請求項７又は８に記載の方法。
【請求項１０】
前記オフセットは、N個の時間単位を含み、Nは正の整数であり、Nは通信プロトコルにおいて指定されるか、或いは、Nはネットワークデバイスにより決定されて端末デバイスに通知される、請求項７乃至９のうちいずれか１項に記載の方法。
【請求項１１】
前記第2の時間周波数リソースグループの位置及びオフセットに基づいて、第3の時間周波数リソースグループを決定するステップは、
前記第3の時間周波数リソースグループを決定するステップであり、前記第3の時間周波数リソースグループ内の各REは、前記第2の時間周波数リソースグループ内のREを前記オフセットでオフセットすることにより取得される、ステップを含む、請求項７乃至１０のうちいずれか１項に記載の方法。
【請求項１２】
前記第1の時間周波数リソースグループ及び前記第3の時間周波数リソースグループは、時間領域において異なるシンボルを占有する、請求項７乃至１１のうちいずれか１項に記載の方法。
【請求項１３】
参照信号送信装置であって、
リソースセットを決定し、前記リソースセットは、復調参照信号及びダウンリンクデータを搬送するために使用され、前記復調参照信号は、前記ダウンリンクデータを復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用され、前記第1の時間周波数リソースグループ及び前記第2の時間周波数リソースグループが重複するとき、前記第2の時間周波数リソースグループの位置及びオフセットに基づいて、第3の時間周波数リソースグループを決定し、前記オフセットは、予め設定されたルールに従って決定される、ように構成された処理ユニットと、
前記第3の時間周波数リソースグループを使用することにより、前記復調参照信号を送信するように構成された通信ユニットと
を含む装置。
【請求項１４】
前記通信ユニットは、指示情報を端末デバイスに送信するように更に構成され、前記指示情報は、前記第1の時間周波数リソースグループが予約された時間周波数リソースであることを示す、請求項１３に記載の装置。
【請求項１５】
前記処理ユニットは、前記第1の時間周波数リソースグループが前記第2の時間周波数リソースグループのものと同じ少なくとも1つのリソースエレメント(RE)を含むとき、前記第2の時間周波数リソースグループの前記位置及び前記オフセットに基づいて、前記第3の時間周波数リソースグループを決定するように構成される、請求項１３又は１４に記載の装置。
【請求項１６】
前記オフセットは、N個の時間単位を含み、Nは正の整数であり、Nは通信プロトコルにおいて指定されるか、或いは、Nはネットワークデバイスにより決定されて端末デバイスに通知される、請求項１３乃至１５のうちいずれか１項に記載の装置。
【請求項１７】
前記処理ユニットは、前記第3の時間周波数リソースグループを決定するように構成され、前記第3の時間周波数リソースグループ内の各REは、前記第2の時間周波数リソースグループ内のREを前記オフセットでオフセットすることにより取得される、請求項１３乃至１６のうちいずれか１項に記載の装置。
【請求項１８】
前記第1の時間周波数リソースグループ及び前記第3の時間周波数リソースグループは、時間領域において異なるシンボルを占有する、請求項１３乃至１７のうちいずれか１項に記載の装置。
【請求項１９】
参照信号受信装置であって、
リソースセットを決定し、前記リソースセットは、復調参照信号及びダウンリンクデータを搬送するために使用され、前記復調参照信号は、前記ダウンリンクデータを復調するために使用され、前記リソースセットは、第1の時間周波数リソースグループ及び第2の時間周波数リソースグループを含み、前記第1の時間周波数リソースグループは、予約された時間周波数リソースであり、前記第2の時間周波数リソースグループは、前記復調参照信号を搬送するために使用され、前記第1の時間周波数リソースグループ及び前記第2の時間周波数リソースグループが重複するとき、前記第2の時間周波数リソースグループの位置及びオフセットに基づいて、第3の時間周波数リソースグループを決定し、前記オフセットは、予め設定されたルールに従って決定される、ように構成された処理ユニットと、
前記第3の時間周波数リソースグループを使用することにより、前記復調参照信号を受信するように構成された通信ユニットと
を含む装置。
【請求項２０】
前記通信ユニットは、ネットワークデバイスにより送信された指示情報を受信するように更に構成され、前記指示情報は、前記第1の時間周波数リソースグループが予約された時間周波数リソースであることを示す、請求項１９に記載の装置。
【請求項２１】
前記処理ユニットは、前記第1の時間周波数リソースグループが前記第2の時間周波数リソースグループのものと同じ少なくとも1つのリソースエレメント(RE)を含むとき、前記第2の時間周波数リソースグループの前記位置及び前記オフセットに基づいて、前記第3の時間周波数リソースグループを決定するように構成される、請求項１９又は２０に記載の装置。
【請求項２２】
前記オフセットは、N個の時間単位を含み、Nは正の整数であり、Nは通信プロトコルにおいて指定されるか、或いは、Nはネットワークデバイスにより決定されて端末デバイスに通知される、請求項１９乃至２１のうちいずれか１項に記載の装置。
【請求項２３】
前記処理ユニットは、前記第3の時間周波数リソースグループを決定するように構成され、前記第3の時間周波数リソースグループ内の各REは、前記第2の時間周波数リソースグループ内のREを前記オフセットでオフセットすることにより取得される、請求項１９乃至２２のうちいずれか１項に記載の装置。
【請求項２４】
前記第1の時間周波数リソースグループ及び前記第3の時間周波数リソースグループは、時間領域において異なるシンボルを占有する、請求項１９乃至２３のうちいずれか１項に記載の装置。
【請求項２５】
通信装置であって、
メモリに記憶されたコンピュータプログラムを実行し、当該通信装置が請求項１乃至１２のうちいずれか１項に記載の方法を実行することを可能にするように構成されたプロセッサを含む通信装置。
【請求項２６】
命令を含むコンピュータプログラムであって、
前記命令がコンピュータにより実行されたとき、前記コンピュータが請求項１乃至１２のうちいずれか１項に記載の方法を実行することが可能になる、コンピュータプログラム。
【請求項２７】
チップシステムであって、
メモリからコンピュータプログラムを呼び出し、前記コンピュータプログラムを実行し、前記チップシステムが設置された通信デバイスが請求項１乃至１２のうちいずれか１項に記載の方法を実行することを可能にするように構成されたプロセッサを含むチップシステム。
【請求項２８】
基地局及び端末デバイスを含む通信システムであって、
前記基地局は、請求項１乃至６のうちいずれか１項に記載の方法を実行するように構成され、
前記端末デバイスは、請求項７乃至１２のうちいずれか１項に記載の方法を実行するように構成される、通信システム。
【手続補正２】
【補正対象書類名】明細書
【補正対象項目名】０００１
【補正方法】変更
【補正の内容】
【０００１】
［関連出願への相互参照］
この出願は、2017年6月16日に出願された「REFERENCE  SIGNAL  SENDING  METHOD  AND  APPARATUS,  AND  REFERENCE  SIGNAL  RECEIVING  METHOD  AND  APPARATUS」という名称の中国特許出願第201710459603.1号、及び2017年9月29日に出願された「REFERENCE  SIGNAL  SENDING  METHOD,  REFERENCE  SIGNAL  RECEIVING  METHOD,  AND  COMMUNICATIONS  APPARATUS」という名称の中国特許出願第201710910063.4号に対する優先権を主張し、これらの全内容を参照により援用する。
【手続補正３】
【補正対象書類名】明細書
【補正対象項目名】００４２
【補正方法】変更
【補正の内容】
【００４２】
任意選択で、当該方法は、ネットワークデバイスにより、第4の時間周波数リソースグループ及び第1の時間周波数リソースグループ内の第1の時間周波数リソースが重複するとき、第4の時間周波数リソースグループの位置及び予め設定されたオフセットに基づいて、第5の時間周波数リソースグループを決定するステップと、ネットワークデバイスにより、第5の時間周波数リソースグループを使用することにより、第3の復調参照信号を送信するステップであり、第1の時間周波数リソースは、第1の時間周波数リソースグループ内にあり且つ第1の復調参照信号を搬送するために使用される時間周波数リソースである、ステップを更に含む。
【手続補正４】
【補正対象書類名】明細書
【補正対象項目名】０１５８
【補正方法】変更
【補正の内容】
【０１５８】
代替として、この場合、参照信号位置は、時間周波数リソースグループに含まれる全てのシンボルの中の、1つの時間周波数リソースグループ内で参照信号を搬送するシンボルの時間領域位置でもよい。
【手続補正５】
【補正対象書類名】明細書
【補正対象項目名】０３４６
【補正方法】変更
【補正の内容】
【０３４６】
さらに、ネットワークデバイス#Bは、プリコーディング行列#Bに基づいて、ダウンリンクデータ#Bを搬送するために使用されるリソースセット(すなわち、リソースセット#B)内で搬送されるデータに対してプリコーディング処理を更に実行してもよい。
【手続補正６】
【補正対象書類名】明細書
【補正対象項目名】０３５１
【補正方法】変更
【補正の内容】
【０３５１】
任意選択で、この出願のこの実施形態では、参照信号#B及びダウンリンク制御情報#Bは、1つ以上の時間周波数リソースグループ#Aを使用することにより送信されてもよい。さらに、時間周波数リソースグループ#Aがリソースセット#A内のいくつかの時間周波数リソースグループであり、一般性を失うことなく、リソースセット#A内の時間周波数リソースグループ#A以外の1つ以上の時間周波数リソースグループが、時間周波数リソースグループ#B(第2の時間周波数リソースグループの例である)であるとき、ネットワークデバイス#Bは、時間周波数リソースグループ#Bを使用することにより、ダウンリンクデータ#C及び参照信号#C(第2の復調参照信号の例である)を端末デバイス#Bに更に送信してもよい。ダウンリンクデータ#Cは、参照信号#Cに基づいて復調される。
【手続補正７】
【補正対象書類名】明細書
【補正対象項目名】０４０１
【補正方法】変更
【補正の内容】
【０４０１】
この場合、図１２に示す装置500内の通信ユニットは、トランシーバに対応してもよく、図１２に示す装置500内の処理ユニットは、プロセッサに対応してもよい。
【手続補正８】
【補正対象書類名】明細書
【補正対象項目名】０４０３
【補正方法】変更
【補正の内容】
【０４０３】
この場合、図１２に示す装置500内の通信ユニットは、入力/出力インタフェースに対応してもよく、図１２に示す装置500内の処理ユニットは、プロセッサに対応してもよい。
【手続補正９】
【補正対象書類名】明細書
【補正対象項目名】０４０６
【補正方法】変更
【補正の内容】
【０４０６】
この場合、図１３に示す装置600内の通信ユニットは、トランシーバに対応してもよく、図１３に示す装置600内の処理ユニットは、プロセッサに対応してもよい。
【手続補正１０】
【補正対象書類名】明細書
【補正対象項目名】０４０８
【補正方法】変更
【補正の内容】
【０４０８】
この場合、図１３に示す装置600内の通信ユニットは、入力/出力インタフェースに対応してもよく、図１３に示す装置600内の処理ユニットは、プロセッサに対応してもよい。
【国際調査報告】
2020523894.tif 000024
2020523894.tif 000025
2020523894.tif 000026
2020523894.tif 000027